(57)【要約】  基地局がサーチスペースを定義し、通信装置が制御情報を探索することができるシステムが開示される。サーチスペースは、少なくとも、サーチスペースの複数の部分の開始サブフレームに関連する第１の情報と、それぞれの開始サブフレーム間の周期性に関係する第２の情報とによって特徴づけられ、各部分は、制御情報の送信の異なる候補を表す。基地局は、初期開始サブフレーム及び周期性の両方を示すパラメータを取得し、生成されたパラメータを通信装置に送信する。【選択図】図６
2019508990.tif 000002
【特許請求の範囲】
【請求項１】
セルラ通信システムにおいて複数の通信装置と通信する基地局であって、
プロセッサであって、
前記複数の通信装置の少なくとも１つの通信装置が制御情報を探索することが可能なサーチスペースであって、少なくとも前記サーチスペースの開始を表す開始サブフレームに関する第１の情報と、前記サーチスペースの複数の部分であってそれぞれが制御情報の送信の異なる候補を表す複数の部分の各開始サブフレーム間の期間（time period）を表す周期性に関連する第２の情報とによって特徴付けられる、サーチスペースを定義し、
前記開始サブフレーム及び前記周期性の両方を前記少なくとも１つの通信装置に指示するように設定されたパラメータを取得する
ように構成されている、プロセッサと、
前記パラメータを前記通信装置に送信するように構成されたトランシーバと
を有する基地局。
【請求項２】
前記周期性Ｔは、数式
Ｔ＝Ｒｍａｘ＊Ｇ
によって表され、Ｒｍａｘは、前記通信装置に対して設定された最大繰り返し数を表し、Ｇは、識別された因数を表す、
請求項１に記載の基地局。
【請求項３】
前記Ｒｍａｘは、上位層パラメータＭ−ＰＤＣＣＨ−ＮｕｍＲｅｐｅｔｉｔｉｏｎによって与えられ、Ｇは、上位層パラメータＭ−ＰＤＣＣＨ−ｓｔａｒｔＳＦ−ＣＳＳ−ＲＡ−ｒ１３によって与えられる、
請求項２に記載の基地局。
【請求項４】
前記Ｒｍａｘは、繰り返しレベルｒ１、ｒ２、ｒ３及びｒ４の少なくとも１つを与えるものであり、各レベルは、Ｒ｛１，２，４，８，１６，３２，６４，１２８，２５６｝のセットから選択される、
請求項２に記載の基地局。
【請求項５】
周期性Ｒｍａｘと、ｒ１、ｒ２、ｒ３及びｒ４の少なくとも１つとの間の関係が、繰り返しレベルの決定を表す以下の表１
【表１】
2019508990.tif 000063
によって与えられる、
請求項４に記載の基地局。
【請求項６】
前記サーチスペースは、以下のタイプ
−Ｔｙｐｅ０−ＭＰＤＣＣＨ共通サーチスペース（但しモードＡで設定されている場合）
−Ｔｙｐｅ１−ＭＰＤＣＣＨ共通サーチスペース（ＣＳＳ）、
−Ｔｙｐｅ２−ＭＰＤＣＣＨ共通サーチスペース、及び
−ＭＰＤＣＣＨ  ＵＥ固有サーチスペース
を含む、
請求項４に記載の基地局。
【請求項７】
前記周期性Ｒｍａｘと、ｒ１、ｒ２、ｒ３及びｒ４の少なくとも１つとの間の関係は、Ｔｙｐｅ１−Ｍ−ＰＤＣＣＨ  ＣＳＳの繰り返しレベルの決定を表す以下の表２
【表２】
2019508990.tif 000064
によって与えられる、
請求項６に記載の基地局。
【請求項８】
前記プロセッサは、前記サーチスペースの前記開始サブフレームを、次の式
【数１】
2019508990.tif 000065
を用いて決定するように構成され、Ｔは周期性であり、ｎｆは前記開始サブフレームを含む無線フレームのインデックスを表し、ｎｓは前記開始サブフレームのスロットインデックスを表し、
【数２】
2019508990.tif 000066
は、床関数である、
請求項１から７のいずれか１項に記載の基地局。
【請求項９】
セルラ通信システムの基地局と通信する通信装置であって、
サーチスペースの開始を表す開始サブフレームに関する第１の情報と、前記サーチスペースの複数の部分であってそれぞれが制御情報の送信の異なる候補を表す複数の部分の各開始サブフレーム間の期間（time period）を表す周期性に関する第２の情報との両方を示すように設定されたパラメータを受信するように構成されたトランシーバと、
前記受信されたパラメータから、前記トランシーバが制御情報を探索できる前記サーチスペースを決定するように構成されたプロセッサと
を有する通信装置。
【請求項１０】
前記周期性Ｔは、数式
Ｔ＝Ｒｍａｘ＊Ｇ
によって表され、Ｒｍａｘは、前記通信装置に対して設定された最大繰り返し数を表し、Ｇは、識別された因数を表す、
請求項９に記載の通信装置。
【請求項１１】
前記Ｒｍａｘは、上位層パラメータＭ−ＰＤＣＣＨ−ＮｕｍＲｅｐｅｔｉｔｉｏｎによって与えられ、Ｇは、上位層パラメータＭ−ＰＤＣＣＨ−ｓｔａｒｔＳＦ−ＣＳＳ−ＲＡ−ｒ１３によって与えられる、
請求項１０に記載の通信装置。
【請求項１２】
前記Ｒｍａｘは、繰り返しレベルｒ１、ｒ２、ｒ３及びｒ４の少なくとも１つを与えるものであり、各レベルは、Ｒ｛１，２，４，８，１６，３２，６４，１２８，２５６｝のセットから選択される、
請求項１０に記載の通信装置。
【請求項１３】
周期性Ｒｍａｘと、ｒ１、ｒ２、ｒ３及びｒ４の少なくとも１つとの間の関係が、繰り返しレベルの決定を表す以下の表３
【表３】
2019508990.tif 000067
によって与えられる、
請求項１２に記載の通信装置。
【請求項１４】
前記サーチスペースは、以下のタイプ
−Ｔｙｐｅ０−ＭＰＤＣＣＨ共通サーチスペース（但しモードＡで設定されている場合）
−Ｔｙｐｅ１−ＭＰＤＣＣＨ共通サーチスペース（ＣＳＳ）、
−Ｔｙｐｅ２−ＭＰＤＣＣＨ共通サーチスペース、及び
−ＭＰＤＣＣＨ  ＵＥ固有サーチスペース
を含む、
請求項１２に記載の通信装置。
【請求項１５】
前記周期性Ｒｍａｘと、ｒ１、ｒ２、ｒ３及びｒ４の少なくとも１つとの間の関係は、Ｔｙｐｅ１−Ｍ−ＰＤＣＣＨ  ＣＳＳの繰り返しレベルの決定を表す以下の表４
【表４】
2019508990.tif 000068
によって与えられる、
請求項１４に記載の通信装置。
【請求項１６】
前記プロセッサは、前記サーチスペースの前記開始サブフレームを、次の式
【数３】
2019508990.tif 000069
を用いて決定するように構成され、Ｔは周期性であり、ｎｆは前記開始サブフレームを含む無線フレームのインデックスを表し、ｎｓは前記開始サブフレームのスロットインデックスを表し、
【数４】
2019508990.tif 000070
は、床関数である、
請求項９から１５のいずれか１項に記載の通信装置。
【請求項１７】
狭帯域幅、低複雑度及びカバレッジ拡張型ユーザ機器のマシン型通信デバイス（ＭＴＣデバイス）を有する、
請求項９から１６のいずれか１項に記載の通信装置。
【請求項１８】
請求項１から８のいずれか１項に記載の基地局と請求項９から１６のいずれか１項に記載の通信装置とを有するシステム。
【請求項１９】
基地局によって実行される方法であって、
複数の通信装置の少なくとも１つの通信装置が制御情報を探索することが可能なサーチスペースであって、少なくとも前記サーチスペースの開始を表す開始サブフレームに関する第１の情報と、前記サーチスペースの複数の部分であってそれぞれが制御情報の送信の異なる候補を表す複数の部分の各開始サブフレーム間の期間（time period）を表す周期性に関連する第２の情報とによって特徴付けられる、サーチスペースを定義し、
前記開始サブフレーム及び前記周期性の両方を前記少なくとも１つの通信装置に指示するように設定されたパラメータを取得し、
前記パラメータを前記通信装置に送信する、
方法。
【請求項２０】
通信装置によって実行される方法であって、
サーチスペースの開始を表す開始サブフレームに関する第１の情報と、前記サーチスペースの複数の部分であってそれぞれが制御情報の送信の異なる候補を表す複数の部分の各開始サブフレーム間の期間（time period）を表す周期性に関する第２の情報との両方を示すように設定されたパラメータを、トランシーバで受信し、
前記受信されたパラメータから、前記トランシーバが制御情報を探索できる前記サーチスペースを決定する、
方法。
【請求項２１】
プログラム可能な通信装置に請求項１９又は２０に記載の方法を実行させる、コンピュータで実行可能な命令を有する、コンピュータ実行可能命令製品。
【発明の詳細な説明】
【技術分野】
【０００１】
本発明は、モバイル通信装置及びモバイル通信ネットワークに関し、特に、排他的ではないが、第３世代パートナーシッププロジェクト（３ＧＰＰ）標準に従って動作するモバイル通信装置及びモバイル通信ネットワーク、又は、それらの等価物若しくは派生物に関する。本発明は、排他的ではないが、特に、ＵＴＲＡＮのロングタームエボリューション（ＬＴＥ；Long Term Evolution）（Ｅ−ＵＴＲＡＮ（Evolved Universal Terrestrial Radio Access Network）と呼ばれる）に関する。
【背景技術】
【０００２】
移動（セルラ）通信ネットワークでは、モバイル機器（携帯電話などの、ユーザ機器（ＵＥ；User Equipment）または携帯端末とも呼ばれる）は、基地局を介してリモートサーバまたは他のモバイル機器と通信する。互いの通信において、モバイル機器および基地局は、通常は周波数帯域および／または時間ブロック（周波数帯域及び時間ブロックの少なくとも一方）に分割された、ライセンスされた無線周波数を使用する。様々な基準（例えば、送信されるデータの量、モバイル機器によってサポートされる無線技術、期待されるサービス品質、加入設定など）に応じて、各基地局は、基地局に付随する（attached to）モバイル機器によって使用される、送信タイミング、周波数、送信電力、変調方式（modulation）の制御に関与（responsible for）している。スケジューリング決定は、１ｍｓの頻度の送信時間間隔ごとに変更され得る。サービスの中断を最小限に抑え、利用可能な帯域幅の利用を最大にするために、基地局は、自身の送信電力及びモバイル機器の電力を継続的に調整する。基地局はまた、周波数帯および／またはタイムスロットをモバイル機器に割り当て、また、基地局と接続されたモバイル機器との間で使用される適切な送信技術を選択して実施する。このようにすることにより、基地局は、モバイル機器によって互いにまたは基地局に引き起こされる有害な妨害を低減または除外する。
【０００３】
直交周波数分割多重（ＯＦＤＭＡ；orthogonal frequency-division multiplexing）を使用して、モバイル機器は、所定の時間、特定の数のサブキャリアを含むブロックに割り当てられる。これらは、ＬＴＥ仕様の物理リソースブロック（ＰＲＢ；physical resource block）と称される。したがって、ＰＲＢは、時間次元と周波数次元の両方を有する。１つのＰＲＢは、１つのスロット（０．５ｍｓ）の継続時間における１２の連続するサブキャリアから構成される。ＰＲＢは、基地局によって割り当てられたリソース割り当ての最小要素である。ＬＴＥ無線フレームまたはシステムフレームは１０個のサブフレームに分割され、各サブフレームは１．０ｍｓの長さである。各サブフレームは、さらに２つのスロットに分割され、各スロットの継続時間は０．５ｍｓである。スロットは、ノーマルサイクリックプレフィックスまたは拡張サイクリックプレフィックスのいずれを使用するかに応じて、６つまたは７つのＯＤＦＭシンボルで構成される。
【０００４】
基地局のスケジューリング決定（すなわち、アップリンク通信およびダウンリンク通信のスケジューリング割り当て）は、いわゆる物理ダウンリンク制御チャネル（ＰＤＣＣＨ；Physical Downlink Control Channel）または拡張ＰＤＣＣＨ（ＥＰＤＣＣＨ；Enhanced PDCCH）上で個々のモバイル機器に伝達される。（Ｅ）ＰＤＣＣＨ上で搬送される情報は、ダウンリンク制御情報（ＤＣＩ；downlink control information）と称される。ＤＣＩのフォーマットは、制御メッセージの目的によって異なり得る。
【０００５】
したがって、基地局を介して通信することができるようにするためには、モバイル機器は、基地局によって操作される制御チャネルを監視し、ＤＣＩを探索する必要がある。（Ｅ）ＰＤＣＣＨなどの物理制御チャネルは、制御チャネル要素が９つのリソースエレメントグループ（ＲＥＧ；Resource Element Group）に対応する、１つまたは複数の連続した制御チャネルエレメント（ＣＣＥ；Control Channel Element）の集合で送信される。各ＲＥＧには４つのリソースエレメント（ＲＥ；Resource Element）があります。
【０００６】
モバイル機器が最初にスイッチオンされるとき、またはモバイル機器が基地局によって取り扱われる（served by）領域に到着するとき、モバイル機器は、その基地局によって使用される周波数帯域内の制御チャネルの位置を探す。例えば、モバイル機器は、（Ｅ）ＰＤＣＣＨの位置及びフォーマットの全ての可能な組み合わせ及びＤＣＩフォーマットをチェックし、それらのメッセージに従って動作する（act on）必要がある。すべての可能な組み合わせの復号化は、モバイル機器が多くの（Ｅ）ＰＤＣＣＨ復号化試行（decoding attempts）を行うことを必要とするので、３ＧＰＰは、基地局によって取り扱われる各モバイル機器について、ＣＣＥ位置の限定されたセットは、ＥＰＤＣＣＨが配置され得る場所で設定されることに従って、ＬＴＥについての代替的なアプローチを定義した。モバイル機器がそのＥＰＤＣＣＨを見つけ得るＣＣＥ位置のセットは、例えば、３ＧＰＰ技術仕様書（ＴＳ）３６．２１３  Ｖ１３．０．１の９．１．１に記載されているように、「サーチスペース（search space）」とみなされ得る。
【０００７】
ＬＴＥでは、サーチスペースはＥＰＤＣＣＨフォーマットごとに異なるサイズを有する。さらに、別個の専用のサーチスペース及び共通のサーチスペースが定義され、専用のサーチスペースが各ＵＥに対して個別に設定され（configured for）、全てのモバイル機器は、共通のサーチスペースの範囲を通知される。
【０００８】
近年の電気通信の発展により、人間の援助なしに通信し動作するように構成されたネットワークデバイスであるマシン型通信（ＭＴＣ；machine-type communications）デバイスの使用が大幅に増加することが見込まれている。そのようなデバイスの例には、測定を実行し電気通信ネットワークを介してこれらの測定値を他のデバイスに中継するように構成され得るスマートメーターが含まれる。マシン型通信デバイスは、マシンツーマシン（Ｍ２Ｍ；machine-to-machine）通信デバイスとしても知られている。さらに、いわゆる物のインターネット（ＩｏＴ；Internet of Things）デバイスは、ＭＴＣデバイスとも称され得る。
【０００９】
ＭＴＣデバイスは、遠隔の「マシン」（例えば、サーバ）またはユーザとの間で送受信されるデータを有するときはいつでも（必要に応じて、適切なランダムアクセス手順を実行した後に）ネットワークに接続する。ＭＴＣデバイスは、（上述のように）携帯電話または類似のユーザ機器について最適化された通信プロトコルおよび通信規格を使用する。しかしながら、ＭＴＣデバイスは、いったん配置されると、通常、人間の管理または相互作用（interaction）を必要とせずに動作し、内部メモリに記憶されたソフトウェア命令に従う。ＭＴＣデバイスはまた、長期間にわたって静止状態および／または非活動状態のままである可能性がある。ＭＴＣデバイスをサポートするための特定のネットワーク要件は、３ＧＰＰ  ＴＳ  ２２．３６８  Ｖ１３．１．０で扱われており、その内容は参照により本明細書に組み込まれる。
【００１０】
３ＧＰＰ標準のリリース１３（Ｒｅｌ−１３）バージョン以降、ＭＴＣデバイスは、総ＬＴＥ帯域幅に比べて限られた帯域幅（通常は１．４ＭＨｚ）のみをサポートすることができる。ＭＴＣデバイスはまた、より少ない／単純化されたコンポーネントを有し得る。これにより、このような「帯域幅を減少させた」ＭＴＣデバイスを、より大きな帯域幅をサポートする及び／又はより複雑なコンポーネントを有する他のＵＥと比較して、より経済的にすることが可能になる。
【００１１】
ＭＴＣデバイスの多くの機能が制限されていることと相まって、（例えば、屋内に配備されたときの）ネットワークカバレッジの欠如により、そのようなＭＴＣデバイスのデータレートが低くなる可能性があり、そのため、一部のメッセージまたは（Ｅ）ＰＤＣＣＨなどチャネルがＭＴＣデバイスによって受信されないというリスクがある。このリスクを軽減するために、そのようなＭＴＣデバイスをサポートするためにＥＰＤＣＣＨのカバレッジを高めることが提案されている。これは、複数の（例えば、２つ、３つ、４つの）サブフレームにわたる同じＥＰＤＣＣＨ情報（例えば、ＤＣＩ）の繰り返しによって達成される。言い換えると、カバレッジ拡張（ＣＥ；coverage enhancement）の目的のために、基地局は、時間領域でＥＰＤＣＣＨ情報を複製する（基地局は、そのＥＰＤＣＣＨ情報が最初に送られたサブフレームの後の１つ又は複数のサブフレームにおいて同じＥＰＤＣＣＨ情報を再送信する）。カバレッジ拡張型ＭＴＣデバイス（coverage enhanced MTC device）は、複数のサブフレームで受信された（同じ）ＥＰＤＣＣＨ情報の複数のコピーを結合するように構成され得、受信された情報を結合した後、カバレッジ拡張型ＭＴＣデバイスは、ＥＰＤＣＣＨ情報の単一のコピーに基づくよりも、ＥＰＤＣＣＨを首尾よく復号することができる可能性がより高い。
【００１２】
ＬＴＥでは、いわゆるＭ−ＰＤＣＣＨは、狭帯域幅／カバレッジ拡張要件を満たすためにＭＴＣ  ＵＥに特に使用される（Ｅ）ＰＤＣＣＨの変形である。Ｒｅｌ−１３において、各低複雑度（ＬＣ；low complexity）またはカバレッジ拡張型（ＣＥ）ＭＴＣデバイスは、以下からの１つまたは複数の狭帯域上の１つまたは複数のサーチスペースを監視する必要がある：
・送信電力制御（ＴＰＣ；Transmit Power Control）コマンド、ランダムアクセス手順を開始するための「ＰＤＣＣＨ命令（PDCCH order）」、及びユニキャスト物理ダウンリンク共有チャネル（ＰＤＳＣＨ；Physical Downlink Shared Channel）／物理アップリンク共有チャネル（ＰＵＳＣＨ；Physical Uplink Shared Channel）送信のためのフォールバック（fall back）に使用され得るモードＡ（例えば、繰り返しなしまたは繰り返し回数が少ないＣＥ）のためのＴｙｐｅ０−Ｍ−ＰＤＣＣＨ共通サーチスペース（ＣＳＳ；common search space）、
・ページング送信をスケジューリングするために使用されるＴｙｐｅ１−Ｍ−ＰＤＣＣＨ  ＣＳＳ、
・ランダムアクセス関連のメッセージ（ランダムアクセスレスポンス（ＲＡＲ；random access response）、Ｍｓｇ３再送信、およびＭｓｇ４など）をスケジューリングするために使用されるＴｙｐｅ２−Ｍ−ＰＤＣＣＨ  ＣＳＳ、及び
・ユニキャストＰＤＳＣＨおよびＰＵＳＣＨ送信をスケジューリングするために使用される、Ｍ−ＰＤＣＣＨ  ＵＥ固有サーチスペース（「ＵＥＳＳ」、「ＵＥ−ＳＳ」または「ＵＳＳ」）。
【００１３】
ＬＣ／ＣＥ  ＭＴＣデバイスは、Ｍ−ＰＤＣＣＨ  ＵＥＳＳ及びＴｙｐｅ１−Ｍ−ＰＤＣＣＨ共通サーチスペースを同時に監視する必要はなく、Ｍ−ＰＤＣＣＨ  ＵＥＳＳ及びＴｙｐｅ２−Ｍ−ＰＤＣＣＨ共通サーチスペースを同時に監視する必要はない。
【００１４】
各Ｔｙｐｅ１−Ｍ−ＰＤＣＣＨ共通サーチスペースの開始サブフレームは、ページング機会（paging opportunity）サブフレームの各位置（その位置は基地局及びモバイル機器の両方に知られている）から決定される。各Ｔｙｐｅ２−Ｍ−ＰＤＣＣＨ共通サーチスペースの開始サブフレームは、３ビットを使用するＭＴＣ固有システムブロードキャスト（ＭＴＣ固有システム情報ブロック−「ＭＴＣ−ＳＩＢ」）を介して明示的に示される。各Ｍ−ＰＤＣＣＨ  ＵＥＳＳおよび各Ｔｙｐｅ０−Ｍ−ＰＤＣＣＨ共通サーチスペースの開始サブフレームは、３ビットを使用する上位層（ＲＲＣシグナリング）を介して設定される。
【先行技術文献】
【非特許文献】
【００１５】
【非特許文献１】Ｒ１−１５７８９１  ＬＳ  ｏｎ  ＲＲＣ  ｐａｒａｍｅｔｅｒｓ  ｆｏｒ  ＬＴＥ  ｅＭＴＣ
【非特許文献２】Ｃｈａｉｒｍａｎ’ｓ  Ｎｏｔｅｓ  ＲＡＮ１＿８３−ｆｉｎａｌ
【非特許文献３】ＴＳ  ３６．２１３  Ｖ１３．０．０
【発明の概要】
【発明が解決しようとする課題】
【００１６】
ＵＥＳＳの（連続する）サーチスペースの（連続する）開始サブフレームのそれぞれの開始点間の期間（サブフレーム数）が、最大繰り返し数（Ｒｍａｘ）に対して必要とされる時間（サブフレーム数）よりも長くなるように、３ＧＰＰは、Ｍ−ＰＤＣＣＨ  ＵＥＳＳの構造を定義した。したがって、（例えば、特定のＭＴＣデバイス用の）ＵＥＳＳの２つの連続するサーチスペース間の（時間的な）ギャップ、つまり、あるサーチスペースの最後の（last）繰り返し（最後のサブフレーム）と次のサーチスペースの開始サブフレームにおける最初の送信との間のギャップが存在し得る。さらに、特定のＵＥＳＳの開始サブフレームの後に（すなわち、サーチスペースが全く介在せずに）単一のサーチスペースしか存在しないことも予想される。しかしながら、（連続する）サーチスペースの（連続する）開始サブフレームの各開始点間の期間（サブフレーム数）は、最大繰り返し数（Ｒｍａｘ）の実際の継続時間（サブフレーム数）よりも短くてはならない。将来、Ｒｍａｘ＝１の値（単一の送信またはそれ以上の繰り返しを伴わない「繰り返し」）もサポートされ得ることが予測される。３ＧＰＰはまた、ダウンリンク（ＤＬ；downlink）送信のためのサブフレームの有効／無効にかかわらず、Ｍ−ＰＤＣＣＨサーチスペースの可能な開始サブフレームが定義され得ることに同意した。
【００１７】
しかしながら、特定のＭＴＣデバイスのＵＥＳＳに対する開始サブフレームのシグナリングは、そのシグナリングに使用できるビット数によって制約される。具体的には、３ビットを有する別個の（ＵＥＳＳ特有の）ＲＲＣパラメータが使用されることが期待される。さらに、特定のＭＴＣデバイスがそのＵＥＳＳの開始サブフレームを認識している場合であっても、ＭＴＣデバイスのコンテキストにおいて望ましくない追加のシグナリングなしに、ＭＴＣデバイスが後続の（すなわちギャップに続く）サーチスペースのサブフレームを認識することができる有効なメカニズムはない。
【００１８】
本発明は、上記問題を少なくとも部分的に解決するシステム、デバイス、および方法を提供することを目的とし、特に、Ｍ−ＰＤＣＣＨ  ＵＥＳＳ、Ｔｙｐｅ０−Ｍ−ＰＤＣＣＨ  ＣＳＳおよびＴｙｐｅ１−Ｍ−ＰＤＣＣＨ  ＣＳＳの開始サブフレームが、Ｒｅｌ−１３  ＭＴＣデバイスのために伝送（signal）される方法を提供することを目的とする。
【課題を解決するための手段】
【００１９】
一態様によれば、本発明は、セルラ通信システムにおいて複数の通信装置と通信する基地局であって、プロセッサであって、前記複数の通信装置の少なくとも１つの通信装置が制御情報を探索することが可能なサーチスペースであって、少なくとも前記サーチスペースの開始を表す開始サブフレームに関する第１の情報と、前記サーチスペースの複数の部分であってそれぞれが制御情報の送信の異なる候補を表す複数の部分の各開始サブフレーム間の期間（time period）を表す周期性に関連する第２の情報とによって特徴付けられる、サーチスペースを定義し、前記開始サブフレーム及び前記周期性の両方を前記少なくとも１つの通信装置に指示するように設定されたパラメータを取得するように構成されている、プロセッサと、前記パラメータを前記通信装置に送信するように構成されたトランシーバとを有する基地局を提供する。
【００２０】
別の態様によれば、本発明は、セルラ通信システムの基地局と通信する通信装置であって、サーチスペースの開始を表す開始サブフレームに関する第１の情報と、前記サーチスペースの複数の部分であってそれぞれが制御情報の送信の異なる候補を表す複数の部分の各開始サブフレーム間の期間（time period）を表す周期性に関する第２の情報との両方を示すように設定されたパラメータを受信するように構成されたトランシーバと、前記受信されたパラメータから、前記トランシーバが制御情報を探索できる前記サーチスペースを決定するように構成されたプロセッサとを有する通信装置を提供する。
【００２１】
本発明の態様は、対応するシステム、方法、及び、上記の態様及び上記で意図され又は請求項に記載された可能性のあるものにおける上述したような方法を実行するようプログラム可能な、及び／又は請求項のいずれかに記載の装置を提供するために適切に適合したコンピュータをプログラム可能なプロセッサをプログラムするように動作可能な命令が格納されたコンピュータ可読記憶媒体などの、コンピュータプログラム製品に及ぶ。
【００２２】
本明細書（特許請求の範囲を含む）及び／又は図面に示された各特徴は、他の開示された及び／又は図示された特徴とは独立して（またはこれらと組み合わせて）本発明に組み込まれてもよい。特に、限定はされないが、特定の独立請求項に従属する請求項のいずれかの特徴は、その独立請求項に任意の組合せでまたは個別に取り込まれてもよい。
【図面の簡単な説明】
【００２３】
【図１】本発明の例示的な実施形態が適用され得る電気通信システムを概略的に示す図である。
【図２】図１の電気通信システムの無線フレームを示す図である。
【図３】図１の電気通信システムで使用されるリソースグリッドの簡略図を示す。
【図４】図１の電気通信システムの移動通信装置の簡略ブロック図である。
【図５】図１の電気通信システムの基地局の簡略ブロック図を示す。
【図６】本発明の実施形態を例示する例示的なシグナリング（タイミング）図である。
【図７】異なる周期性および異なる最大繰り返し数の組み合わせについての例示的な開始サブフレームを示す図である。
【図８】異なる周期性および異なる最大繰り返し数の組み合わせについての例示的な開始サブフレームを示す図である。
【図９】サーチスペースの開始サブフレームの例示的なオプションを示す図である。
【発明を実施するための形態】
【００２４】
＜概要＞
図１は、移動通信装置３のユーザが基地局５を介して他のユーザと通信することができる移動（セルラ）電気通信システム１を概略的に示す。図１に示すシステムでは、モバイル機器３は、マシン型通信（ＭＴＣ）デバイス（またはＭＴＣ  ＵＥ）であり、示された基地局５は、Ｅ−ＵＴＲＡＮセル６を取り扱う（serving）Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）基地局である。このような基地局は、一般に、ｅＮＢ（Ｅｖｏｌｖｅｄ  ＮｏｄｅＢｓ）と称される。当業者であれば分かるように、図示のために、図１には、２つの移動通信装置３、１つの基地局５、および１つのセル６が示されているが、システムは、実装されると、通常、（１つ又は複数のセルを取り扱う）他の基地局及び他の通信デバイス（例えば、ＭＴＣデバイス、携帯電話、および／または他のユーザ機器）を含む。
【００２５】
基地局５は、（必要に応じて）セル６のリソースを個々のＭＴＣデバイス３にスケジューリングするために、セル６内に（適切な場合には通常のＰＤＣＣＨ／ＥＰＤＣＣＨとともに）Ｍ−ＰＤＣＣＨを送信する。Ｍ−ＰＤＣＣＨは、１つまたは複数の拡張制御チャネルエレメント（ｅＣＣＥ；enhanced control channel element）の集合において、ＭＴＣデバイス３に対して送信される。当然のことながら、Ｍ−ＰＤＣＣＨは、全てのＭＴＣデバイス３について同一のｅＣＣＥのセット上で送信されてもよいし、あるいは、Ｍ−ＰＤＣＣＨは、ＭＴＣデバイス固有の（またはグループ固有の）ｅＣＣＥにおける特定のＭＴＣデバイス３（またはＭＴＣデバイス３の特定のグループ）に対して送信されてもよい。
【００２６】
各ＭＴＣデバイス３について、そのＭＴＣデバイス３に適用可能な上位層パラメータ（「Ｒ」）に従って、Ｍ−ＰＤＣＣＨが繰り返される。繰り返し数は、Ｒのセット｛１、２、４、８、１６、３２、６４、１２８、２５６｝から選択される値を有し得ることが理解されよう。
【００２７】
Ｍ−ＰＤＣＣＨを受信できるようにするために、各ＭＴＣデバイス３は、Ｔｙｐｅ０−Ｍ−ＰＤＣＣＨ  ＣＳＳ、Ｔｙｐｅ１−Ｍ−ＰＤＣＣＨ  ＣＳＳ、Ｔｙｐｅ２−Ｍ−ＰＤＣＣＨ  ＣＳＳ  、および／またはＭ−ＰＤＣＣＨ  ＵＥＳＳを含む、１つ又は複数のサーチスペースを監視するように構成される。サーチスペースは、繰り返し数に応じて複数の（連続する）サブフレームに及ぶことが理解されよう。
【００２８】
基地局５は、様々なシステムパラメータ及び、例えばそのＭＴＣデバイス３に必要な繰り返し数に応じて、各ＭＴＣデバイス３（存在する場合）について適切なＵＥＳＳを決定するように構成されている。ＵＥＳＳは、「ＭＰＤＣＣＨ候補」のセットと考えられ得る。ＭＰＤＣＣＨ候補は、繰り返しサーチスペース（または候補サーチスペース）のセットを含むものとして、あるいは、単一のサーチスペースの繰り返し（候補）部分を含むものとして、想定され得る。ＵＥＳＳは、開始サブフレーム（例えば、ＵＥＳＳの最初に識別されたサブフレーム）と、後続のサーチスペース（または単一サーチスペースの後続部分）の開始サブフレーム間の周期（Ｔ）とによって特徴付けられる。
【００２９】
このシステムでは、基地局５は、システムフレーム番号（ＳＦＮ；system frame number）およびサブフレーム番号に関連して特定のＭＴＣデバイス３（ＭＴＣ  ＵＥ）のＵＥＳＳの開始サブフレームを定義するように構成されている。３ビットのパラメータは、そのＭＴＣデバイスまたはＴｙｐｅ０共通サーチスペース（例えば、Ｍ−ＰＤＣＣＨ−ｓｔａｒｔＳＦ−ＵＥＳＳまたはＭ−ＰＤＣＣＨ−ｓｔａｒｔＳＦ−ＣＳＳ−ＲＡ）に対するＭ−ＰＤＣＣＨ  ＵＥＳＳの開始サブフレームを指示する（indicate）ために、各ＭＴＣデバイス３に送信（signal）される。
【００３０】
ＭＴＣデバイスは、上位層を使用して構成されたシグナリング（the configured using higher layer signalling）のサブフレームｋ０（ＵＥＳＳの最初に識別されたサブフレーム）の位置から（各繰り返しサーチスペースの）各開始サブフレームｋの位置を決定することができる。ｋの値は次式で与えられる。
ｋ＝ｋｂ
ここで、ｋｂはｋ０からｂ番目の連続ＬＣ／ＣＥ  ＤＬサブフレームであり、
【数１】
2019508990.tif 000003
である。ここで、Ｍ−ＰＤＣＣＨのＵＥ固有サーチスペース及びＴｙｐｅ０共通サーチスペースでは、上位層パラメータＭ−ＰＤＣＣＨ−ｓｔａｒｔＳＦ−ＵＥＳＳ（又はＭ−ＰＤＣＣＨ−ｓｔａｒｔＳＦ−ＣＳＳ−ＲＡ）によりｋ０が与えられ、Ｒｍａｘは上位層パラメータＭ−ＰＤＣＣＨ−ＮｕｍＲｅｐｅｔｉｔｉｏｎによって与えられ、ｒ１、ｒ２、ｒ３、ｒ４は表１で与えられる。
【００３１】
【表１】
2019508990.tif 000004
【００３２】
得られる可能性のある開始サブフレーム（ｋ０〜ｋ７）および対応する繰り返し（「Ｍ」によって示される）は、周期性（periodicity）（Ｔ）および繰り返し（Ｒ１〜Ｒ４）の様々な値に対して図７および図８に示されている。
【００３３】
有益には、基地局５は、そのＵＥＳＳに関連するそれぞれのＭＴＣデバイス３に送信（signal）される３ビットパラメータ（例えば、Ｍ−ＰＤＣＣＨ−ｓｔａｒｔＳＦ−ＵＥＳＳ）に依存する各ＵＥＳＳの周期性を使用して、Ｍ−ＰＤＣＣＨ  ＵＥＳＳの開始サブフレームを指示する。したがって、ＭＴＣデバイス３は、（システムフレーム番号（ＳＦＮ）に関連する）開始サブフレームおよび送信されたパラメータからの周期性の両方を導出することができる。
【００３４】
したがって、特定のＭＴＣデバイスがそのＵＥＳＳの開始サブフレームを認識しているとき、追加のシグナリングなしでその後続のＵＥＳＳ（つまりギャップに続く）のサブフレームを効率的に決定することができる。
【００３５】
有益なことに、第１の例では、基地局５は、特定のＭＴＣデバイス３のＭ−ＰＤＣＣＨ繰り返し（M-PDCCH repetition）を決定するために通常使用される「Ｒ」の値のセット（例えば値１、２、４、８、１６、３２、６４、１２８および２５６を含む値Ｒのセット）を参照することによって、Ｍ−ＰＤＣＣＨサーチスペースの適用可能な周期性を定義する。
【００３６】
この例では、基地局５は、Ｍ−ＰＤＣＣＨ繰り返しを決定するために通常使用されるこれらの値の８つの小さい方のサブセットを使用するように構成され、それにより開始サブフレームを示す３ビットパラメータが８つの可能な周期性の１つを示すことを可能にする。例えば、基地局５は、Ｒ値のセットからの最後の８つの値（つまり、値「１」を除く）を使用してもよい。したがって、各ＭＴＣデバイス３は、３ビットパラメータを使用して、
【数２】
2019508990.tif 000005
のセットの１つを用いて設定され得る。
【００３７】
この例は特に単純で効率的であるが、カバレッジ拡張繰り返し数が最大（２５６）であるときに潜在的な問題が生じ得ることが理解されよう。具体的には、この場合、周期性Ｔは、２５６個のサブフレームにも設定される必要がある。さもなければ、サーチスペース間の期間は、Ｍ−ＰＤＣＣＨ繰り返しの可能な継続時間よりも短くなるからである。しかしながら、２５６個のサブフレーム期間内に無効なダウンリンクサブフレームが存在する場合、これらはＭ−ＰＤＣＣＨ繰り返しに使用することができないので、最大繰り返し数（２５６）が使用される場合、繰り返しの継続時間は、サーチスペース間の２５６個のサブフレーム期間Ｔを超え、したがってこの期間Ｔに重なる。
【００３８】
したがって、この例の変形例では、Ｍ−ＰＤＣＣＨ繰り返しを決定するために通常使用される「Ｒ」の値のセットから最大値を使用する代わりに、可能な周期性Ｔのセット
【数３】
2019508990.tif 000006
におけるより高い値（例えば５１２）が使用される。
したがって、この変形例では、カバレッジ拡張繰り返し数が最大（２５６）であるとき、基地局は、無効なダウンリンクサブフレームの存在にかかわらず、Ｍ−ＰＤＣＣＨの繰り返しのサブフレームにおける継続時間よりも長い周期性Ｔを、開始サブフレームを示す３ビットパラメータを介して通知する（signal）ことができる。したがって、これは、Ｍ−ＰＤＣＣＨ繰り返しの継続時間が、（ダウンリンクサブフレームの少なくとも半分が有効である場合に）サーチスペース間の期間Ｔを超えないことを確実にするために使用することができる。
【００３９】
有利なことに、第２の例では、基地局５は、ＭＴＣデバイスのカバレッジ拡張繰り返し数の最大数Ｒｍａｘ、及び、Ｍ−ＰＤＣＣＨ  ＵＥＳＳの開始サブフレーム（Ｍ−ＰＤＣＣＨ−ｓｔａｒｔＳＦ−ＵＥＳＳ）を示す上位層の３ビットパラメータの両方を参照することによって、Ｍ−ＰＤＣＣＨサーチスペースの適用可能な周期性を定義する。具体的には、この例では、３ビットパラメータの可能な値のうちの１つ（例えば、セット｛０，１，２，３，４，５，６，７｝からのもの）が、特定のＭＴＣデバイス３に対して設定され、Ｍ−ＰＤＣＣＨ周期性Ｔは、この値及びＲｍａｘの適切な関数として定義される（例えば、Ｔ＝Ｒｍａｘ＊（Ｍ−ＰＤＣＣＨ−ｓｔａｒｔＳＦ−ＵＥＳＳ  ＋１））。
【００４０】
しかしながら、この第２の例は単純さの点で利点を有するが、システムフレーム番号（ＳＦＮ）カウンタが（現在１０２４であるその最大値に達して）最低値に戻る（wrap around）とき、可能性のある周期性のいくつかは、サーチスペースの開始サブフレームが以前のサーチスペースのＭ−ＰＤＣＣＨの繰り返しと一致するという結果をもたらし得る。
【００４１】
したがって、この例の有益な変形例では、基地局５は、周期性Ｔが常に（またはほとんど常に）１０２４０（つまりシステムフレーム内のサブフレームの総数にシステムフレーム番号カウンタの最大値（１０２４）を乗算した値）の約数（sub-multiple）であることを確実にするように構成されている。有益なことに、これは、繰り返しの途中でサーチスペースが始まるような結果をもたらしてしまう周期性を避けるのに役立つ。具体的には、周期性は、２および５以外の因数（factor）の数を減らすように定義される。この変形例では、８つの可能な因数（ここでは「Ｇ」で示される）のセットが定義され、Ｍ−ＰＤＣＣＨ周期性ＴはＲｍａｘ＊Ｇとして定義される。Ｇの選択（すなわち、８つの値のうちのどれが使用されるかを識別するインデックス）は、サーチスペースの開始サブフレームを指示するための３ビットパラメータ（例えば、Ｍ−ＰＤＣＣＨ−ｓｔａｒｔＳＦ−ＵＥＳＳ）を用いて指示（signal）される。
【００４２】
１つの可能なＧの値のセットは、以下の通りである。
【数４】
2019508990.tif 000007
この値のセットは、１０２４０の因数でない１つの周期性、つまり
【数５】
2019508990.tif 000008
となり得る。
他の可能なＧの値のセットは、以下の通りである。
【数６】
2019508990.tif 000009
これにより、１０２４０の因数ではないが、かなり（significantly）長い最大周期性となる全ての周期性が回避される（例えば以下のように）。
【数７】
2019508990.tif 000010
【００４３】
＜無線フレームおよびリソースグリッド構造＞
本発明の詳細な実施形態を説明する前に、ＬＴＥシステムに現在指定されている無線フレームおよびリソースグリッド構造の概要を簡単に説明する。
【００４４】
図２は、図１の電気通信システム１の無線フレーム１０（またはシステムフレーム）を示す。無線フレーム１０のリソースは、１０個のサブフレーム１１に分割され、それぞれにおいて、サブフレーム１１の第１の部分１２は（例えばレガシーデバイス用の）ＰＤＣＣＨを搬送する（carry）ために使用され得る。歴史的に（Historically）、各サブフレームの残余部分１３は、物理ダウンリンク共有チャネル（ＰＤＳＣＨ）を送信するために使用されるリソースを含み、その一部は、本実施形態では、Ｍ−ＰＤＣＣＨ（またはＥＰＤＣＣＨ）を送信するために使用され得る。
【００４５】
図３は、図１の電気通信システム１で使用されるＰＲＢ対２０の典型的なリソースグリッドの簡略図を示す。ＰＲＢ対は、時間（つまり、図３の水平軸に沿った「シンボル」に対応する列）と周波数（つまり、図３の垂直軸に沿った各「サブキャリア」に対応する行）とで定義された多くのリソースエレメント（ＲＥ）を有する。ＥＰＤＣＣＨと同様に、各Ｍ−ＰＤＣＣＨは、制御チャネルエレメント（「ｅＣＣＥ」）の集合から構成される。各ｅＣＣＥは、予め定義された数のリソースエレメントを占有する。各ｅＣＣＥは、ＰＲＢ対２０内の固定位置で開始する。この例では、１つのＰＲＢ対２０は、３つのｅＣＣＥ２２−１，ｅＣＣＥ２２−２およびｅＣＣＥ２２−３をサポートする。３つのシンボルの第１のリソースエレメントがレガシーＰＤＣＣＨに使用されない場合、第４のｅＣＣＥ（例えばＥＰＤＣＣＨ）の最初の３つのシンボルを使用することにより、ＰＲＢ対当たりの潜在ｅＣＣＥの数が４つに増加され得る。図３のＰＲＢ対２０の概ね左側の領域に示されているように、ＰＤＣＣＨ２１は、サブフレーム２０の第１の部分に搭載されている（carried in）。
【００４６】
ＰＲＢ対２０のいくつかのリソースエレメントは、所定の間隔及びＰＲＢ対の所定の位置でセル参照信号（ＣＲＳ；cell reference signal）２３および復調基準信号（ＤＭ  ＲＳ；demodulation reference signal）２４を伝送するためにも使用され、これらの両方は、基地局５によって周期的に送信される。これらの信号は、基準信号レベルを提供し、基地局５の現在の動作についてモバイル機器３に通知するために使用される。リソースエレメントは、様々なエネルギーレベルで送信され得るが、ＣＲＳ２３リソースエレメントは、常に既知の（例えばデフォルトの）エネルギーレベルで送信される。したがって、モバイル機器３は、ＣＲＳ２３リソースエレメントを介して信号品質測定を実行することができ、これらの測定値に基づいて、基地局５に対して、基地局５によって操作される（所与のセルの）所与の周波数帯域の知覚された信号品質を示すことができる。
【００４７】
この例では、ＰＲＢ対の第４のシンボルから開始して（図３に示すように）最後のシンボルに及び、リソースブロックペア２０の残りのリソースブロックは、３つのｅＣＣＥエリア２２−１〜２２−３に分割される。
【００４８】
特定のＭＴＣデバイスのサーチスペースは、そのＭＴＣデバイス３の制御情報を探索（search for）するためのＭ−ＰＤＣＣＨの集合から構成されている。ＭＴＣデバイス３は、各サブフレームにおいてそのサーチスペース内のすべてのＭ−ＰＤＣＣＨを監視して、基地局５からのスケジューリング許可のような制御情報を検出する。理想的には、サーチスペースのサイズは、ＭＴＣデバイス３の処理負担を最小限に抑えるためにできるだけ小さくすべきである。
【００４９】
＜移動通信装置（ＭＴＣ  ＵＥ）＞
図４は、図１に示す移動通信装置３（ＭＴＣデバイス／ＭＴＣ  ＵＥ）の主要な構成要素を示すブロック図である。ＭＴＣデバイス３は、少なくとも１つのアンテナ３３を介して、基地局５に信号を送信し基地局５から信号を受信するように動作可能な、送受信（transceiver；トランシーバ）回路３１を有する。ＭＴＣデバイス３はまた、（適切な場合に）ユーザがＭＴＣデバイス３と対話する（interact with）ことを可能にするユーザインタフェース３５を含んでもよい。
【００５０】
送受信回路３１の動作は、メモリ３９に記憶されたソフトウェアに従ってコントローラ３７によって制御される。ソフトウェアは、特に、オペレーティングシステム４１、通信制御モジュール４３、ＭＴＣモジュール４５、サーチスペースモジュール４７、およびＲＲＣモジュール４９を含む。
【００５１】
通信制御モジュール４３は、基地局５との通信を管理するように動作可能である。ＭＴＣモジュール４５は、マシン型通信の手順（例えば、測定やデータ収集などの自動化された動作に関するデータの送信／受信）の実行に関与している。
【００５２】
サーチスペースモジュール４７は、ＭＴＣデバイス３のために送信されたＭ−ＰＤＣＣＨデータ（例えば、スケジューリング割り当て／ＤＣＩ）のための割り当てられたサーチスペースを監視することに関与している。サーチスペースモジュール４７は、基地局５からの上位層シグナリング（例えば、ＲＲＣモジュール４９を介して得られたＲＲＣシグナリング）に基づいて、このＭＴＣデバイス３の正しいＵＥＳＳの開始サブフレームおよび周期性を決定する。
【００５３】
ＲＲＣモジュール４９は、ＲＲＣプロトコルに準拠するシグナリングメッセージを処理（生成、送信、および受信）することに関与している。そのようなＲＲＣシグナリングメッセージは、例えば、サーチスペース（例えば、Ｍ−ＰＤＣＣＨ  ＵＥＳＳやＭ−ＰＤＣＣＨ  ＣＳＳなど）を設定することに関するメッセージを含み得る。
【００５４】
＜基地局＞
図５は、図１に示す基地局５の主要な構成要素を示すブロック図である。基地局５は、１つまたは複数のアンテナ５３を介してＭＴＣデバイス３（および／または他のユーザ機器）に信号を送信し、ＭＴＣデバイス３（および／または他のユーザ機器）から信号を受信するように動作可能な送受信回路５１を有する。基地局５はまた、ネットワークインタフェース５５（例えば、「Ｓ１」インタフェース）を介して、コアネットワーク７との間で信号を送受信するように動作可能である。送受信（transceiver；トランシーバ）回路５１の動作は、メモリ５９に記憶されたソフトウェアに従ってコントローラ５７によって制御される。
【００５５】
ソフトウェアは、特に、オペレーティングシステム６１、通信制御モジュール６３、サーチスペース制御モジュール６７、およびＲＲＣモジュール６９を含む。
【００５６】
通信制御モジュール６３は、ＭＴＣデバイス３との通信を制御するように動作可能である。通信制御モジュール６３はまた、（例えば、適切にフォーマットされたＤＣＩを使用して）この基地局５によって取り扱われるセル６のリソースをスケジューリングすることに関与している。
【００５７】
サーチスペース制御モジュール６７は、基地局５によって取り扱われる各ＭＴＣデバイス３に適切なサーチスペースを割り当てることと、正しい開始サブフレームおよびそのＭＴＣデバイス３によって監視される割り当てられたサーチスペースの周期性を決定するための適切な情報を基地局５によって取り扱われる各ＭＴＣデバイス３に送信することとに関与している。そのような情報は、上位層のシグナリング（例えば、ＲＲＣモジュール６９を介したＲＲＣシグナリング）を使用して送信され得る。サーチスペース制御モジュール６７はまた、特定のＭＴＣデバイス３のＭ−ＰＤＣＣＨデータ（例えば、スケジューリング割り当て／ＤＣＩ）が、そのＭＴＣデバイス３のための適切なサーチスペースを介して送信されることを確実にすることに関与している。
【００５８】
ＲＲＣモジュール６９は、ＲＲＣプロトコルに準拠するシグナリングメッセージを処理（生成、送信、および受信）することに関与している。そのようなＲＲＣシグナリングメッセージは、例えば、サーチスペース（例えば、Ｍ−ＰＤＣＣＨ  ＵＥＳＳやＭ−ＰＤＣＣＨ  ＣＳＳなど）を設定することに関するメッセージを含み得る。
【００５９】
上記の説明では、ＭＴＣデバイス３および基地局５は、多数の個別モジュールを有するものとして理解を容易にするために記載されている。これらのモジュールは、例えば、既存のシステムが本発明を実施するように変更されたようなある応用について、例えば当初から本発明の特徴を考慮して設計されたシステムなどの他の応用において、この方法で提供され得るが、これらのモジュールは、全体的なオペレーティングシステムまたはコードに組み込まれてもよく、したがって、これらのモジュールは、別個のエンティティとして認識されなくてもよい。
【００６０】
＜動作＞
図６は、本発明の例示的な実施形態を例示する例示的なシグナリング（タイミング）図である。
【００６１】
有益なことに、第１の例では、基地局５は、（そのサーチスペース制御モジュール６７を使用して）そのＭＴＣデバイス３に必要なＭ−ＰＤＣＣＨ繰り返しの数を定義する関連するパラメータＲを導出する（例えば、要求されるカバレッジ拡張のレベルおよび有効/無効サブフレームの数に依存して）。基地局５はまた、特定のＭＴＣデバイスのＭ−ＰＤＣＣＨ繰り返しを決定するために通常使用される「Ｒ」の値のセット（例えば、値１，２，４，８，１６，３２，６４，１２８，及び２５６を含む値Ｒのセット）を参照することによって、（そのサーチスペース制御モジュール６７を使用して）Ｍ−ＰＤＣＣＨサーチスペースの適用可能な周期性を定義する。これは、概ねステップＳ６０１に示されている。
【００６２】
より詳細には、基地局５は、Ｒ値のセット（例えば、値「１」を除く最後の８つの値）から８つの所定の値を使用し、各ＭＴＣデバイス３は、値２，４，８，１６，３２，６４，１２８，および２５６を含むＴのセットから８つの可能な周期性（Ｔ）の１つで設定され得る。言い換えると、特定のＭＴＣデバイス３の周期性Ｔの値は、そのＭＴＣデバイス３のＲの値（Ｒ＝１以外の値）と一致する。
【００６３】
したがって、この例では、基地局５は、Ｍ−ＰＤＣＣＨ繰り返しを決定するために通常使用されるこれらの値の８つの小さい方のサブセットを使用するように構成され、それにより開始サブフレームを示す３ビットパラメータが８つの可能な周期性のうちの１つを示すことを可能にする。したがって、各ＭＴＣデバイス３は、３ビットパラメータを使用して、
【数８】
2019508990.tif 000011
のセットの１つを用いて設定され得る。
【００６４】
しかしながら、基地局５は、無効なダウンリンクサブフレームの存在を考慮し、Ｔの値がそのＭＴＣデバイス３のＲｍａｘの実際のサブフレーム継続時間と少なくとも等しいことを確実にするように構成されてもよい。例えば、特定のＭＴＣデバイス３についてＲｍａｘ＝８であり、システムフレームにつき１つ以上の無効なサブフレーム（すなわち、Ｍ−ＰＤＣＣＨ送信に使用することができないサブフレーム）がある場合、周期性は、少なくとも次の値（つまり、この例では「１６」）に増加するはずである。
【００６５】
この例は特に単純で効率的であるが、カバレッジ拡張繰り返し数が最大（２５６）であるときに潜在的な問題が生じ得ることが理解されよう。具体的には、この場合、周期性Ｔは、２５６個のサブフレームにも設定される必要がある。さもなければ、サーチスペース間の期間は、Ｍ−ＰＤＣＣＨ繰り返しの可能な継続時間よりも短くなるからである。しかしながら、２５６個のサブフレーム期間内に無効なダウンリンクサブフレームが存在する場合、これらはＭ−ＰＤＣＣＨ繰り返しに使用することができないので、最大繰り返し数（２５６）が使用される場合、繰り返しの継続時間は、サーチスペース間の２５６個のサブフレーム期間Ｔを超え、したがってこの期間Ｔに重なる。
【００６６】
ステップＳ６０３に概略的に示されるように、基地局５は、各ＭＴＣデバイス３に対し、そのＭＴＣデバイス３に適用可能なパラメータＲおよびＴを識別する情報を（そのＲＲＣモジュール６９を使用して）送信する。パラメータＴを識別する情報は、ＲＲＣメッセージの適切な情報エレメントを使用して送信されてもよいことが理解されよう。例えば、パラメータＴの可能な値が８つ（またはそれより少ない）である場合、パラメータＴを識別する情報は３ビットを含み得る。選択されたエレメントのインデックスは、上位層パラメータＭ−ＰＤＣＣＨ−ｓｔａｒｔＳＦ−ＵＥＳＳおよび／または同様のものによって示されてもよい。また、パラメータＲおよびＴは、別個のメッセージおよび／または別個の情報エレメントで伝送されてもよいことも理解されよう。
【００６７】
したがって、各ＭＴＣデバイス３は、そのＭＴＣデバイス３に適用可能なパラメータＲおよびＴを識別する情報を（例えば、そのＲＲＣモジュール４９を使用して）受信し、そのサーチスペースモジュール４７を使用して、そのＭＴＣデバイス３によって監視されるべきＵＥＳＳについての周期性および開始サブフレームを（受信されたパラメータに基づいて）導出し、（メモリ３９に）格納する（ステップＳ６０４）。ステップＳ６０５に概略的に示されるように、ＭＴＣデバイス３は、（ＵＥＳＳ開始およびＴに基づいて）Ｍ−ＰＤＣＣＨ送信についての適切なＵＥＳＳの監視を開始する。
【００６８】
Ｒｍａｘ＝２５６である場合、無効なサブフレームの存在の原因となる（account for）Ｔ値、つまり、（
【数９】
2019508990.tif 000012
が使用される場合に）２５より大きいＴ値を設定することは不可能であることが、理解されよう。したがって、第１の例の変形例では、無効なサブフレーム（Ｒｍａｘ＝２５６）の存在に対応するために、値「２５６」が「５１２」に置き換ってもよい。したがって、
【数１０】
2019508990.tif 000013
となる。
したがって、この変形例では、カバレッジ拡張繰り返し数が最大（２５６）であるとき、基地局は、開始サブフレームを示す３ビットパラメータを介して、無効なダウンリンクサブフレームの存在にかかわらず、Ｍ−ＰＤＣＣＨの繰り返しのサブフレームにおける継続時間よりも長い周期性Ｔを（ステップＳ６０３において）伝送する。したがって、これは、Ｍ−ＰＤＣＣＨ繰り返しの継続時間が（少なくともダウンリンクサブフレームの半分が有効である場合に）サーチスペース間の期間Ｔを超えないことを確実にするために使用され得る。
【００６９】
言い換えると、第１の例では、特定のＭＴＣデバイス３が監視するＭ−ＰＤＣＣＨサーチスペース（ＵＥＳＳ）の開始サブフレームは、式
【数１１】
2019508990.tif 000014
を満たすサブフレームである。ここで、
【数１２】
2019508990.tif 000015
であり、ｎｆは無線フレームインデックスであり、ｎｓは（そのフレーム内の）スロットインデックスであり、
【数１３】
2019508990.tif 000016
は、床関数（flooring function）であり（つまり、「ｘ」を超えない最大の整数）、選択されたエレメントのインデックス（index）Ｔは、上位層パラメータＭ−ＰＤＣＣＨ−ｓｔａｒｔＳＦ−ＵＥＳＳによって伝送される。
【００７０】
Ｒｍａｘ＝１の場合、Ｍ−ＰＤＣＣＨの開始サブフレームの周期性を明示的に設定する必要はないことが理解されよう。なぜならば、この場合、ＭＴＣデバイス３は、そのＭ−ＰＤＣＣＨサーチスペースのすべての有効なダウンリンクサブフレームを監視する必要があると考えられ得るからである。
【００７１】
有益なことに、第２の例では、基地局５は、ＭＴＣデバイスのカバレッジ拡張繰り返しの最大数Ｒｍａｘ、及び、Ｍ−ＰＤＣＣＨ  ＵＥＳＳの開始サブフレーム（Ｍ−ＰＤＣＣＨ−ｓｔａｒｔＳＦ−ＵＥＳＳ）を示す上位層の３ビットパラメータの両方を参照することによって、Ｍ−ＰＤＣＣＨサーチスペースの適用可能な周期性を（サーチスペース制御モジュール６７を使用して）定義する。具体的には、この例では、３ビットパラメータの可能な値のうちの１つ（例えば、０，１，２，３，４，５，６および７の値から選択された値を有するＭ−ＰＤＣＣＨ−ｓｔａｒｔＳＦ−ＵＥＳＳ）は、特定のＭＴＣデバイス３に対して設定され、Ｍ−ＰＤＣＣＨ周期性Ｔは、選択された値及びＲｍａｘの適切な関数として定義される（例えば、Ｔ＝Ｒｍａｘ＊（Ｍ−ＰＤＣＣＨ−ｓｔａｒｔＳＦ−ＵＥＳＳ  ＋１））。
【００７２】
したがって、この場合、基地局５は、特定のＭＴＣデバイス３のＭ−ＰＤＣＣＨ−ｓｔａｒｔＳＦ−ＵＥＳＳの値を識別する情報を送信するように構成されており、これは、ＭＴＣデバイス３が（そのサーチスペースモジュール４７を使用して）周期性Ｔ及びそのＵＥＳＳの開始サブフレームを導出することに基づいて行われる。
【００７３】
第２の例では、特定のＭＴＣデバイス３がモニタするＭ−ＰＤＣＣＨサーチスペース（ＵＥＳＳ）の開始サブフレームは、式
【数１４】
2019508990.tif 000017
を満たすサブフレームである。ここで、Ｔ＝Ｒｍａｘ＊（Ｍ−ＰＤＣＣＨ−ｓｔａｒｔＳＦ−ＵＥＳＳ  ＋１）であり、
【数１５】
2019508990.tif 000018
である。
【００７４】
しかしながら、この第２の例は単純さの点で利点を有するが、システムフレーム番号（ＳＦＮ）カウンタが（現在１０２４であるその最大値に達して）最低値に戻る（wrap around）とき、可能性のある周期性のいくつかは、サーチスペースの開始サブフレームが以前のサーチスペースのＭ−ＰＤＣＣＨの繰り返しと一致するという結果をもたらし得る。
【００７５】
したがって、第２の例の有益な変形例では、基地局５は、周期性Ｔが常に（またはほとんど常に）１０２４０（つまり１０２４個のシステムフレーム内のサブフレームの総数）の約数（sub-multiple）であることを確実にするように構成されている。有益なことに、これは、繰り返しの途中でサーチスペースが始まるような結果をもたらしてしまう周期性を避けるのに役立つ。具体的には、基地局５は、２および５以外の因数（factor）の数を減らすように、周期性を（そのサーチスペース制御モジュール６７を使用して）定義する。この変形例では、８つの可能な因数（ここでは「Ｇ」で示される）のセットが定義され、Ｍ−ＰＤＣＣＨ周期性ＴはＲｍａｘ＊Ｇとして定義される。Ｇの選択（すなわち、８つの値のうちのどれが使用されるかを識別するインデックス）は、サーチスペースの開始サブフレームを指示するための３ビットパラメータ（例えば、Ｍ−ＰＤＣＣＨ−ｓｔａｒｔＳＦ−ＵＥＳＳ）を用いて、（ステップＳ６０３で）指示（signal）される。
【００７６】
Ｇの値の可能なセットは、以下に示される。
【数１６】
2019508990.tif 000019
この値のセットは、１０２４０の因数でない１つの周期性、つまり
【数１７】
2019508990.tif 000020
となり得る。
他の可能なＧの値のセットは、以下の通りである。
【数１８】
2019508990.tif 000021
これにより、１０２４０の因数ではないが、かなり（significantly）長い最大周期性となる全ての周期性が回避される（例えば以下のように）。
【数１９】
2019508990.tif 000022
【００７７】
各ＭＴＣデバイス３は、ＭＴＣデバイス３が（そのサーチスペースモジュール４７を使用して）周期性ＴおよびそのＭＴＣ装置３によって監視されるＵＥＳＳの開始サブフレームを導出することに基づいて、そのＭＴＣデバイス３に適用可能なパラメータＧを識別する情報を（例えば、そのＲＲＣモジュール４９を使用して）受信する。
【００７８】
言い換えると、この変形例では、特定のＭＴＣデバイス３が監視するＭ−ＰＤＣＣＨサーチスペース（ＵＥＳＳ）の開始サブフレームは、式
【数２０】
2019508990.tif 000023
を満たすサブフレームである。ここで、Ｔ＝Ｒｍａｘ＊Ｇであり、
【数２１】
2019508990.tif 000024
である。
ここで、選択されたエレメントのインデックスＴは、上位層パラメータＭ−ＰＤＣＣＨ−ｓｔａｒｔＳＦ−ＵＥＳＳによって伝送される。そして、
【数２２】
2019508990.tif 000025
である。
【００７９】
ステップＳ６０７〜Ｓ６１０に概略的に示されるように、基地局５は、特定のＭＴＣデバイス５のダウンリンクデータをスケジューリングする（schedule）必要があるときはいつでも、適切にフォーマットされたＤＣＩデータを（通信制御モジュール６３を用いて）生成する（ステップＳ６０７）。そして、ステップＳ６０９において、基地局５は、ＤＣＩデータの対象となる（intended for）ＭＴＣデバイス３に関連するサーチスペース（ＵＥＳＳ）を介して、（そのＲＲＣモジュール６９を使用して）ＤＣＩデータを送信する。（ステップＳ６０５でその割り当てられたサーチスペースを監視し始めた）ＭＴＣデバイス３は、（ステップＳ６１０で概略的に示されるように）ＤＣＩデータを受信してデコードする。ステップＳ６０７〜Ｓ６１０は、基地局５が特定のＭＴＣデバイス５のダウンリンクデータをスケジューリングする必要があるときはいつでも、繰り返され得る。ステップＳ６０１〜Ｓ６０５は、基地局５が特定のＭＴＣデバイス５のサーチスペースを更新する必要があるときはいつでも、繰り返され得る。
【００８０】
＜変更と代替＞
以上、詳細な実施形態を説明した。当業者であれば理解できるように、上述の例示的な実施形態および変形例には多くの修正および代替がなされ得るが、これらはその中に具現化される本発明の利益を受ける。
【００８１】
通信システム１は、Ｅ−ＵＴＲＡＮ基地局として動作する基地局５に関して説明されているが、同様の原理が、マクロ基地局またはピコ基地局、フェムト基地局、基地局機能の要素を提供する中継ノード、ホーム基地局（ＨｅＮＢ）、または他のそのような通信ノードとして動作する基地局にも適用され得ることが、理解されよう。
【００８２】
以上の説明では、情報エレメントＭ−ＰＤＣＣＨ−ｓｔａｒｔＳＦ−ＵＥＳＳは、ＵＥＳＳの開始サブフレームに関する例示的な情報エレメントとして使用されている。しかしながら、任意の他の適切な情報エレメントが使用され得ることが理解されよう。さらに、ＵＥＳＳの開始サブフレームに関する情報は、暗黙的に、すなわち（追加の）情報エレメントを送信せずに提供されてもよいことも理解されよう。例えば、ＵＥＳＳの開始サブフレームは、ＭＴＣデバイスによって必要とされる繰り返し／カバレッジ拡張の数から導出されてもよい。
【００８３】
同じまたは異なる開始サブフレーム周期性を有する異なるＭＴＣデバイス（またはＵＥ）が、同じサーチスペースを監視するように構成されてもよいことが、理解されよう。さらに、開始サブフレーム周期性についての同様のシグナリング方法が、他のサーチスペースＴｙｐｅ０−Ｍ−ＰＤＣＣＨ  ＣＳＳおよびＴｙｐｅ１−Ｍ−ＰＤＣＣＨ  ＣＳＳに対して定義され得ることが、理解されよう。
この場合、Ｍ−ＰＤＣＣＨ−ｓｔａｒｔＳＦ−ＵＥＳＳを、ＣＳＳの開始サブフレームに関する情報エレメント（例えば、「Ｍ−ＰＤＣＣＨ−ｓｔａｒｔＳＦ−ＣＳＳ−ＲＡ−ｒ１３」等）に置き換えることによって、上記の例がＴｙｐｅ１−Ｍ−ＰＤＣＣＨ  ＣＳＳに適用可能であり得ることが理解されよう。Ｔｙｐｅ１−Ｍ−ＰＤＣＣＨ  ＣＳＳに適用可能なｒ１、ｒ２、ｒ３、およびｒ４の値を表２に示す。
【００８４】
【表２】
2019508990.tif 000026
【００８５】
図３には、３つのｅＣＣＥエリアが示されているが、１つのサブフレームで異なる数のｅＣＣＥが定義され、ｅＣＣＥの数がサブフレームごとに異なる可能性があることが、理解されよう。
【００８６】
上記の例示的な実施形態では、移動電話ベースの電気通信システムが説明された。当業者には理解されるように、本出願に記載されているシグナリング技術は、他の通信システムで使用され得る。他の通信ノードまたは通信デバイス（通信装置）は、例えば、パーソナルデジタルアシスタント、ラップトップ／タブレットコンピュータ、ウェブブラウザ、電子ブックリーダーなどのユーザデバイスを含んでもよい。当業者には理解されるように、上述の中継システムを移動通信装置に使用することは必須ではない。このシステムは、移動通信デバイスとともに又は移動通信デバイスの代わりに１つまたは複数の固定コンピューティングデバイスを有するネットワーク内の基地局のカバレッジを拡張するために使用され得る。
【００８７】
上述の例示的な実施形態では、基地局５およびＭＴＣデバイス３は、それぞれ送受信回路を含む。典型的には、この回路は専用のハードウェア回路によって形成される。しかしながら、いくつかの例示的な実施形態では、送受信回路の一部は、対応するコントローラによって実行されるソフトウェアとして実現されてもよい。
【００８８】
上記の例示的な実施形態では、いくつかのソフトウェアモジュールが説明された。当業者には理解されるように、ソフトウェアモジュールは、コンパイルされた形態またはコンパイルされていない形態で提供されてもよく、コンピュータネットワークを介した信号または記録媒体上の信号として基地局またはＭＴＣデバイスに供給されてもよい。さらに、このソフトウェアの一部または全部によって実行される機能は、１つまたは複数の専用ハードウェア回路を使用して実行されてもよい。
【００８９】
基地局および／または通信デバイスは、複数の周期性を表すデータを保持するためのメモリを有してもよく、上記のパラメータは、上記の複数の周期性のうちのどれによって上記のサーチスペースが特徴付けられるかを特定してもよい（例えば、周期性Ｔは、
【数２３】
2019508990.tif 000027
で定義される）。
【００９０】
カバレッジ拡張のレベル（例えば、最大繰り返し数「Ｒｍａｘ」）は、少なくとも１つの通信デバイスに対して設定されてもよく、周期性は、上記のパラメータと上記のカバレッジ拡張のレベルの両方に関連してもよい（例えば、数式によって）。
【００９１】
周期性は、数式
Ｔ＝Ｒｍａｘ＊（Ｍ−ＰＤＣＣＨ−ｓｔａｒｔＳＦ−ＵＥＳＳ＋  １）
によって、上記のパラメータおよび上記のカバレッジ拡張のレベルに関連し得る。ここで、Ｒｍａｘは、通信デバイスに対して設定された最大繰り返し数を表し（なお、
【数２４】
2019508990.tif 000028
である）、Ｍ−ＰＤＣＣＨ−ｓｔａｒｔＳＦ−ＵＥＳＳはパラメータである。
【００９２】
基地局および／または通信デバイスは、上記の周期性を導出する際に使用する複数の因数（factor）を表すデータを保持するためのメモリを有する。ここで、上記のパラメータは上記の複数の因数のうちの１つの因数を識別し、上記の周期性は、識別された因数に関連し得る（例えば、数式によって）。
【００９３】
カバレッジ拡張レベル（例えば、最大繰り返し数「Ｒｍａｘ」）が通信デバイスに対して設定されてもよく、上記の周期性は、上記識別された因数及び上記カバレッジ拡張レベル（例えば、数学的表現による）の両方に関連し得る（例えば、数式によって）。
【００９４】
周期性は、数式
Ｔ＝Ｒｍａｘ＊Ｇ
によって、上記因数及び上記カバレッジ拡張のレベルに関連し得る。ここで、Ｒｍａｘは、通信デバイスに対して設定された最大繰り返し数を表し（なお、
【数２５】
2019508990.tif 000029
である）、Ｇは識別された因数を表す（なお、
【数２６】
2019508990.tif 000030
である）。
【００９５】
サーチスペースは、マシン型通信（ＭＴＣ）デバイス固有のサーチスペース（例えば、ＵＥＳＳ）、及び、共通サーチスペース（例えば、Ｔｙｐｅ０−Ｍ−ＰＤＣＣＨ  ＣＳＳまたはＴｙｐｅ１−Ｍ−ＰＤＣＣＨ  ＣＳＳ）を含んでもよい。
【００９６】
パラメータは、適切にフォーマットされた情報エレメント（例えば、「Ｍ−ＰＤＣＣＨ−ｓｔａｒｔＳＦ−ＵＥＳＳ」情報エレメントまたは「Ｍ−ＰＤＣＣＨ−ｓｔａｒｔＳＦ−ＣＳＳ−ＲＡ−ｒ１３」情報エレメント）を使用して送信されてもよい。
【００９７】
基地局のプロセッサおよび／または通信デバイスは、式
【数２７】
2019508990.tif 000031
を使用して上記のサーチスペースの上記の開始サブフレームを決定するように構成されてもよい。ここで、Ｔは周期性であり、ｎｆは、上記の開始サブフレームを含む無線フレームのインデックスを表し、ｎｓは、上記の開始サブフレームのスロットインデックスを表し、
【数２８】
2019508990.tif 000032
は、床関数（つまり、「ｘ」を超えない最大の整数）である。
【００９８】
通信デバイスは、マシン型通信デバイス（ＭＴＣデバイス）を含んでもよい。
【００９９】
様々な他の修正が当業者には明らかであるが、ここではさらに詳細には説明しない。
【０１００】
以下は、本発明が現在提案されている３ＧＰＰ標準で実施され得る方法の詳細な説明である。様々な特徴が本質的であるとまたは必要であると説明されているが、これは、例えば規格によって課せられた他の要求のために、提案された３ＧＰＰ標準の場合のみであり得る。したがって、これらの記述は、決して本発明を限定するものとして解釈されるべきではない。
【０１０１】
１．導入
Ｒｅｌ−１３において、ＬＣ／ＣＥ  ＭＴＣ  ＵＥは、１つまたは複数の狭帯域上の１つまたは複数のサーチスペースを監視する。
・ＴＰＣコマンド、ランダムアクセス手順を開始するための「ＰＤＣＣＨ命令」、及びユニキャストＰＤＳＣＨ／ＰＵＳＣＨのフォールバック（fall back）に使用され得るＴｙｐｅ０−ＭＰＤＣＣＨ共通サーチスペース（ＭｏｄｅＡについてのみ）
−ページング送信をスケジューリングするために使用されるＴｙｐｅ１−ＭＰＤＣＣＨ共通サーチスペース
ＲＡＲ、Ｍｓｇ３再送信およびＭｓｇ４をスケジューリングするために使用されるＴｙｐｅ２−ＭＰＤＣＣＨ共通サーチスペース
・ユニキャストＰＤＳＣＨおよびＰＵＳＣＨ送信をスケジューリングするために使用されるＭＰＤＣＣＨ  ＵＥ固有サーチスペース（ＵＳＳ）
【０１０２】
ＬＣ／ＣＥ  ＵＥは、ＭＰＤＣＣＨ  ＵＳＳおよびＴｙｐｅ１−ＭＰＤＣＣＨ共通サーチスペース、並びに、ＭＰＤＣＣＨ  ＵＳＳおよびＴｙｐｅ２−ＭＰＤＣＣＨ共通サーチスペースを、同時に監視する必要はない。
【０１０３】
Ｔｙｐｅ１−ＭＰＤＣＣＨ共通サーチスペースの開始サブフレームは、ページング機会サブフレームの位置から決定される。
【０１０４】
Ｔｙｐｅ２−ＭＰＤＣＣＨ共通サーチスペースの開始サブフレームは、３ビットを使用するＭＴＣ−ＳＩＢにおいて明示的に示される。
【０１０５】
ＭＰＤＣＣＨ  ＵＳＳおよびＴｙｐｅ０−ＭＰＤＣＣＨ共通サーチスペースの開始サブフレームは、３ビットを使用するＲＲＣを介して設定された上位層である。
【０１０６】
この寄稿（contribution）では、ＭＰＤＣＣＨ  ＵＳＳ、Ｔｙｐｅ０−ＭＰＤＣＣＨ  ＣＳＳ、およびＲｅｌ−１３  ＭＴＣのＴｙｐｅ１−ＭＰＤＣＣＨ  ＣＳＳの開始サブフレームの詳細について説明する。
【０１０７】
２．  ＵＳＳサーチスペースの開始サブフレーム
最近のＲＡＮ１ミーティングでは、図９に示すように、Ｍ−ＰＤＣＣＨ  ＵＳＳの構造について３つのオプションが議論された。オプション２は、ＵＳＳの開始サブフレームの周期性が繰り返し数の最大数（Ｒｍａｘ）よりも長くなり得る場合に合意された［２］。
合意（Agreement）：
−開始サブフレームとＲの最大数との関係は、
−オプション２：ＵＥ−ＳＳの開始サブフレームの周期性は、Ｒの最大数よりも長くなり得る。ＵＥ−ＳＳの開始サブフレームの後には１つのＳＳのみが生じる。
−注：隣接する２つの開始サブフレーム間の継続時間は、Ｒの最大数の実際のサブフレーム継続時間以上でなければならない
−Ｒ＿ｍａｘ＝１がサポートされているかどうかのＦＦＳ、及び、サポートされている場合はこの場合の開始サブフレーム
−有効／無効ＤＬサブフレームに関係なく、Ｍ−ＰＤＣＣＨサーチスペースについて可能な開始サブフレームが定義される。
【０１０８】
ＲＡＮ１とのさらなる合意は以下の通りである。
合意：
−ＵＳＳの開始サブフレームについて、
−個別のＲＲＣパラメータ：
−ＲＡＮ１は、シグナリングについてビットを有する［３］ことを推奨し、ＲＡＮ２にシグナリングの詳細を指定するように誠意を持って要請する。
【０１０９】
上記の合意から、Ｍ−ＰＤＣＣＨ  ＵＳＳサーチスペースに関して各ＵＥに指定され及び通知される必要がある周期性があることは明らかである。ＲＡＮ１はシグナリングを指定するようにＲＡＮ２に推奨しましたが、ＲＲＣパラメータを除いてＲＡＮ２に送信されたＬＳはない。さらに、ＭＰＤＣＣＨ  ＵＳＳについての開始サブフレームの上位層シグナリングパラメータｍｐｄｃｃｈ−ＳｔａｒｔＳＦ−ＵＥＳＳ−ｒ１３は、ＲＡＮ１仕様、より具体的にはＴＳ３６．２１３に記録（capture）されている。
しかしながら、開始サブフレームについての可能な値の詳細、並びに、それらのシステムフレーム番号（ＳＦＮ）およびサブフレーム番号との関係は、いずれの仕様においても記録されていない。
【０１１０】
以下の記述は、ＴＳ  ３６．２１３のセクション９．１．５［３］に記録された。
「開始サブフレームｋの位置は、上位層で設定されたサブフレームｋ０から決定され、ｋ＝ｋｂによって与えられ、ここで、ｋｂは、ｋ０からのｂ番目の連続ＬＣ／ＣＥ  ＤＬサブフレームであり、
【数２９】
2019508990.tif 000033
であり、ここで、
−ＭＰＤＣＣＨ  ＵＥ固有サーチスペース、及びＴｙｐｅ０共通サーチスペースについて、ｋ０は上位層パラメータｍＰＤＣＣＨ−ｓｔａｒｔＳＦ−ＵＥＳＳによって与えられ、ｒｍａｘは上位層パラメータｍＰＤＣＣＨ−ＮｕｍＲｅｐｅｔｉｔｉｏｎによって与えられ、ｒ１、ｒ２、ｒ３、ｒ４は、表９．１．５−３で与えられる。
【０１１１】
上記の説明を理解するために、開始サブフレームの異なる周期性Ｔ、Ｒｍａｘ＝８およびいくつかの有効なサブフレーム（ｖ）のが考慮される図７および図８に示すようないくつかの例を示す。
【０１１２】
シグナリングについて合意されたビットの数は３ビット（０〜７）に制限されるので、未解決の問題（open issue）は、Ｍ−ＰＤＣＣＨサーチスペースについての周期性のセットを定義するためにこれらのビット数をどのように利用するかである。
【０１１３】
３つのオプションを以下に示す。
【０１１４】
オプション１：最初のエレメントを除いて既にＭ−ＰＤＣＣＨ周期性で定義された（already defined M-PDCCH repetitions）Ｒ｛１、２、４、８、１６、３２、６４、１２８、２５６｝の候補セットを再利用する。これは、ＵＥが、８つの可能な周期性
【数３０】
2019508990.tif 000034
のうちの１つで設定され得ることを意味する。但し、ＴがＲｍａｘの実際のサブフレーム継続時間以上であることを条件とする。例えば、ＵＥについてＲｍａｘ＝８であり、５つの無効なサブフレームがある場合、図７に示すように、周期性は少なくとも１６に増加されるべきである。
【０１１５】
１つの問題は、周期性が２５６であり、Ｒｍａｘ＝２５６であり、システムにおいて無効なサブフレームがいくつかある場合に、設定可能な２５６より大きな数がないということである。したがって、周期性が２５６に等しいときに無効なサブフレームに対応するためには、２５６を５１２に置き換えるほうがよい可能性がある。欠点は、ＤＬ有効サブフレームの比率が半分未満である場合、Ｔ＝５１２の設定は、Ｒｍａｘ＝２５６の場合にすべての繰り返しのための余地がないことである。
【０１１６】
このオプションについて、ＵＥがＭ−ＰＤＣＣＨサーチスペースを監視するための開始サブフレームは、
【数３１】
2019508990.tif 000035
を満たす（satisfy as）。
ここで、
【数３２】
2019508990.tif 000036
であり、選択されたエレメントのインデックスは、上位層のパラメータｍＰＤＣＣＨ−ｓｔａｒｔＳＦ−ＵＥＳＳによって与えられる。ｎｆはシステムフレーム番号（ＳＦＮ）であり、
【数３３】
2019508990.tif 000037
は、サブフレーム番号に対応する。
【０１１７】
Ｒｍａｘ＝１の場合、ＵＥはＭＰＤＣＣＨサーチスペースのすべての有効なダウンリンクサブフレームを監視することを想定できるので、ＭＰＤＣＣＨの開始サブフレーム周期性を設定する必要はない。
【０１１８】
オプション２：ＲｍａｘのＵＥ固有パラメータおよび上位層パラメータｍＰＤＣＣＨ−ｓｔａｒｔＳＦ−ＵＥＳＳを適用する。この場合、ｍＰＤＣＣＨ−ｓｔａｒｔＳＦ−ＵＥＳＳの値を｛０，１，２，３，４，５，６，７｝に設定することができ、１つの値はＵＥに設定される。そして、各ＵＥについて、Ｍ−ＰＤＣＣＨ周期性ＴをＲｍａｘ＊（ｍＰＤＣＣＨ−ｓｔａｒｔＳＦ−ＵＥＳＳ  ＋１）と定義することができる。
【０１１９】
このオプションについて、ＵＥがＭ−ＰＤＣＣＨサーチスペースを監視するための開始サブフレームは、
【数３４】
2019508990.tif 000038
を満たす（satisfy as）。
ここで、
Ｔ＝Ｒｍａｘ＊（ｍＰＤＣＣＨ−ｓｔａｒｔＳＦ−ＵＥＳＳ  ＋１）
であり、
【数３５】
2019508990.tif 000039
である。
しかしながら、欠点は、いくつかのＴ値が１０２４０（ＳＦＮ  １０２４×１０サブフレーム）の因数ではないため、すべての周期性Ｔが同じサブフレームで開始するわけではないことである。また、条件
【数３６】
2019508990.tif 000040
は、いくつかの周期性ＴがＳＦＮカウンタが最低値に戻る（wrap around）間に繰り返しの途中で開始することを可能にする。これは、ＵＥの進行中の繰り返しの途中で新たな周期性が開始されないように指定することによって、回避され得る。
【０１２０】
オプション３：オプション２を改善するために、周期性Ｔが１０２４０の約数（sub-multiple）であることを保証する必要があるが、これはつまり、２及び５以外の因数を含むものを避ける必要があるといことである。したがって、これに基づいて、因数のリストを
【数３７】
2019508990.tif 000041
と定義することができ、選択されたエレメントのインデックスは、上位層のパラメータｍＰＤＣＣＨ−ｓｔａｒｔＳＦ−ＵＥＳＳによって与えられる。
【０１２１】
したがって、ＵＥがＭ−ＰＤＣＣＨサーチスペースを監視するための開始サブフレームは、
【数３８】
2019508990.tif 000042
を満たすべきである。
ここで、Ｔ＝Ｒｍａｘ＊Ｇであり、
【数３９】
2019508990.tif 000043
であり、選択されたエレメントのインデックスは、上位層のパラメータｍＰＤＣＣＨ−ｓｔａｒｔＳＦ−ＵＥＳＳによって与えられ、
【数４０】
2019508990.tif 000044
である。
【０１２２】
同じまたは異なる開始サブフレーム周期性を有する異なるＵＥが同じサーチスペース上で監視することができることに留意すべきである。
【０１２３】
さらに、Ｔｙｐｅ０−ＭＰＤＣＣＨ  ＣＳＳおよびＴｙｐｅ１−ＭＰＤＣＣＨ  ＣＳＳの他のサーチスペースに対して、開始サブフレーム周期性についての同様のシグナリング方法を定義する必要がある。
【０１２４】
提案１：ＴＳ  ３６．２１３におけるＭＰＤＣＣＨ  ＵＳＳ及びＴｙｐｅ０−ＭＰＤＣＣＨ  ＣＳＳの開始サブフレームの上位層シグナリングを以下のようにキャプチャする。
ＭＰＤＣＣＨ  ＵＥ固有サーチスペース、及びＴｙｐｅ０−ＭＰＤＣＣＨ共通サーチスペースについて、ｋ０は、
【数４１】
2019508990.tif 000045
によって与えられる。ここで、
オプション１：
【数４２】
2019508990.tif 000046
であり、あるエレメントのインデックスは、上位層のパラメータｍＰＤＣＣＨ−ｓｔａｒｔＳＦ−ＵＥＳＳによって与えられる。
オプション３：Ｔ＝Ｒｍａｘ＊Ｇであり、
【数４３】
2019508990.tif 000047
であり、あるエレメントのインデックスは、上位層のパラメータｍＰＤＣＣＨ−ｓｔａｒｔＳＦ−ＵＥＳＳによって与えられる。
【０１２５】
提案２：ｍＰＤＣＣＨ−ｓｔａｒｔＳＦ−ＵＥＳＳをｍｐｄｃｃｈ−ｓｔａｒｔＳＦ−ＣＳＳ−ＲＡ−ｒ１３に置き換えることによって、Ｔｙｐｅ１−ＭＰＤＣＣＨ  ＣＳＳについて同じシグナリング方式を定義する。
【０１２６】
３．結論
この寄稿では、ＭＰＤＣＣＨサーチスペースの開始サブフレーム周期性について説明した。我々は、以下の提案をする。
【０１２７】
提案１：ＴＳ  ３６．２１３のＭＰＤＣＣＨ  ＵＳＳとＴｙｐｅ０−ＭＰＤＣＣＨ  ＣＳＳの開始サブフレームの上位層シグナリングを以下のようにキャプチャする。
ＭＰＤＣＣＨ  ＵＥ固有サーチスペース、及びＴｙｐｅ０−ＭＰＤＣＣＨ共通サーチスペースについて、ｋ０は、
【数４４】
2019508990.tif 000048
によって与えられる。ここで、
オプション１：
【数４５】
2019508990.tif 000049
であり、あるエレメントのインデックスは、上位層のパラメータｍＰＤＣＣＨ−ｓｔａｒｔＳＦ−ＵＥＳＳによって与えられる。
オプション３：Ｔ＝Ｒｍａｘ＊Ｇであり、
【数４６】
2019508990.tif 000050
であり、あるエレメントのインデックスは、上位層のパラメータｍＰＤＣＣＨ−ｓｔａｒｔＳＦ−ＵＥＳＳによって与えられる。
【０１２８】
提案２：ｍＰＤＣＣＨ−ｓｔａｒｔＳＦ−ＵＥＳＳをｍｐｄｃｃｈ−ｓｔａｒｔＳＦ−ＣＳＳ−ＲＡ−ｒ１３に置き換えることによって、Ｔｙｐｅ１−ＭＰＤＣＣＨ  ＣＳＳについて同じシグナリング方式を定義する。
【０１２９】
４．参考文献
１）Ｒ１−１５７８９１  ＬＳ  ｏｎ  ＲＲＣ  ｐａｒａｍｅｔｅｒｓ  ｆｏｒ  ＬＴＥ  ｅＭＴＣ
２）Ｃｈａｉｒｍａｎ’ｓ  Ｎｏｔｅｓ  ＲＡＮ１＿８３−ｆｉｎａｌ
３）ＴＳ  ３６．２１３  Ｖ１３．０．０
【０１３０】
上記の実施形態の全部又は一部は、以下の付記のようにも記載されうるが、以下には限られない。
【０１３１】
（付記１）
セルラ通信システムにおいて複数の通信装置と通信する基地局であって、
プロセッサであって、
前記複数の通信装置の少なくとも１つの通信装置が制御情報を探索することが可能なサーチスペースであって、前記サーチスペースの開始を表す初期開始サブフレーム（initial starting subframe）と、前記サーチスペースの複数の部分であってそれぞれが制御情報の送信の異なる候補を表す複数の部分の各開始サブフレーム間の期間（time period）を表す周期性とによって特徴付けられる、サーチスペースを定義し、
前記初期開始サブフレーム及び前記周期性の両方を前記少なくとも１つの通信装置に指示するように設定されたパラメータを生成する
ように構成されている、プロセッサと、
前記パラメータを前記通信装置に送信するように構成されたトランシーバと
を有する基地局。
【０１３２】
（付記２）
複数の周期性を表すデータを保持するためのメモリを有し、
前記パラメータは、前記複数の周期性のどれによってサーチスペースが特徴付けられるかを識別する（例えば、前記周期性Ｔは、
【数４７】
2019508990.tif 000051
で定義される）
付記１に記載の基地局。
【０１３３】
（付記３）
カバレッジ拡張のレベル（例えば、最大繰り返し数「Ｒｍａｘ」）が前記少なくとも１つの通信装置に対して設定され、前記周期性は、前記パラメータ及び前記カバレッジ拡張のレベルの両方に関連する（例えば数式によって）
付記１に記載の基地局。
【０１３４】
（付記４）
前記周期性は、数式
Ｔ＝Ｒｍａｘ＊（Ｍ−ＰＤＣＣＨ−ｓｔａｒｔＳＦ−ＵＥＳＳ  ＋１）
によって、前記パラメータ及び前記カバレッジ拡張のレベルに関連し、Ｒｍａｘは、前記通信装置に対して設定された最大繰り返し数を表し（例えば
【数４８】
2019508990.tif 000052
である）、Ｍ−ＰＤＣＣＨ−ｓｔａｒｔＳＦ−ＵＥＳＳは、前記パラメータである
付記３に記載の基地局。
【０１３５】
（付記５）
前記周期性を導出するのに使用される複数の因数（factor）を表すデータを保持するためのメモリを有し、
前記パラメータは、前記複数の因数のうちの１つの因数を識別し、前記周期性は、前記識別された因数に関連する（例えば数式によって）
付記１に記載の基地局。
【０１３６】
（付記６）
カバレッジ拡張のレベル（例えば、最大繰り返し数「Ｒｍａｘ」）が前記少なくとも１つの通信装置に対して設定され、前記周期性は、前記識別された因数及び前記カバレッジ拡張のレベルの両方に関連する（例えば数式によって）
付記５に記載の基地局。
【０１３７】
（付記７）
前記周期性は、前記数式
Ｔ＝Ｒｍａｘ＊Ｇ
によって、前記因数及び前記カバレッジ拡張のレベルに関連し、Ｒｍａｘは、前記通信装置に対して設定された最大繰り返し数を表し（例えば
【数４９】
2019508990.tif 000053
である）、Ｇは、前記識別された因数を表す（例えば
【数５０】
2019508990.tif 000054
である）
付記６に記載の基地局。
【０１３８】
（付記８）
前記サーチスペースは、マシン型通信（ＭＴＣ）デバイス固有のサーチスペース（例えば、ＵＥＳＳ）及び共通サーチスペース（例えば、Ｔｙｐｅ０−Ｍ−ＰＤＣＣＨ  ＣＳＳ又はＴｙｐｅ１−Ｍ−ＰＤＣＣＨ  ＣＳＳ）の１つを含む
付記１から７のいずれか１項に記載の基地局。
【０１３９】
（付記９）
前記パラメータは、適切にフォーマットされた情報エレメント（例えば、「Ｍ−ＰＤＣＣＨ−ｓｔａｒｔＳＦ−ＵＥＳＳ」情報エレメント又は「Ｍ−ＰＤＣＣＨ−ｓｔａｒｔＳＦ−ＣＳＳ−ＲＡ−ｒ１３」情報エレメント）を用いて送信される
付記１から８のいずれか１項に記載の基地局。
【０１４０】
（付記１０）
前記プロセッサは、式
【数５１】
2019508990.tif 000055
を用いて前記サーチスペースの前記開始サブフレームを決定するように構成されており、
Ｔは、前記周期性であり、ｎｆは、前記開始サブフレームを含む無線フレームのインデックスを表し、ｎｓは、前記開始サブフレームのスロットインデックスを表し、
【数５２】
2019508990.tif 000056
は、床関数（つまり、「ｘ」を超えない最大の整数）である
付記１から９のいずれか１項に記載の基地局。
【０１４１】
（付記１１）
セルラ通信システムの基地局と通信する通信装置であって、
サーチスペースの開始を表す初期開始サブフレームと、前記サーチスペースの複数の部分であってそれぞれが制御情報の送信の異なる候補を表す複数の部分の各開始サブフレーム間の期間を表す周期性との両方を示すように設定されたパラメータを受信するように構成されたトランシーバと、
前記受信されたパラメータから、前記トランシーバが制御情報を探索できる前記サーチスペースを決定するように構成されたプロセッサと
を有する通信装置。
【０１４２】
（付記１２）
複数の周期性を表すデータを保持するためのメモリを有し、
前記パラメータは、前記複数の周期性のどれによってサーチスペースが特徴付けられるかを識別する（例えば、前記周期性Ｔは、
【数５３】
2019508990.tif 000057
で定義される）
付記１１に記載の通信装置。
【０１４３】
（付記１３）
カバレッジ拡張のレベル（例えば、最大繰り返し数「Ｒｍａｘ」）が前記通信装置に対して設定され、前記周期性は、前記パラメータ及び前記カバレッジ拡張のレベルの両方に関連する（例えば数式によって）
付記１１に記載の通信装置。
【０１４４】
（付記１４）
前記周期性は、数式
Ｔ＝Ｒｍａｘ＊（Ｍ−ＰＤＣＣＨ−ｓｔａｒｔＳＦ−ＵＥＳＳ  ＋１）
によって、前記パラメータ及び前記カバレッジ拡張のレベルに関連し、Ｒｍａｘは、前記通信装置に対して設定された最大繰り返し数を表し（例えば
【数５４】
2019508990.tif 000058
である）、Ｍ−ＰＤＣＣＨ−ｓｔａｒｔＳＦ−ＵＥＳＳは、前記パラメータである
付記１３に記載の通信装置。
【０１４５】
（付記１５）
前記周期性を導出するのに使用される複数の因数を表すデータを保持するためのメモリを有し、
前記パラメータは、前記複数の因数のうちの１つの因数を識別し、前記周期性は、前記識別された因数に関連する（例えば数式によって）
付記１１に記載の通信装置。
【０１４６】
（付記１６）
カバレッジ拡張のレベル（例えば、最大繰り返し数「Ｒｍａｘ」）が前記少なくとも１つの通信装置に対して設定され、前記周期性は、前記識別された因数及び前記カバレッジ拡張のレベルの両方に関連する（例えば数式によって）
付記１５に記載の通信装置。
【０１４７】
（付記１７）
前記周期性は、前記数式
Ｔ＝Ｒｍａｘ＊Ｇ
によって、前記因数及び前記カバレッジ拡張のレベルに関連し、Ｒｍａｘは、前記通信装置に対して設定された最大繰り返し数を表し（例えば
【数５５】
2019508990.tif 000059
である）、Ｇは、前記識別された因数を表す（例えば
【数５６】
2019508990.tif 000060
である）
付記１６に記載の通信装置。
【０１４８】
（付記１８）
前記サーチスペースは、マシン型通信（ＭＴＣ）デバイス固有のサーチスペース（例えば、ＵＥＳＳ）及び共通サーチスペース（例えば、Ｔｙｐｅ０−Ｍ−ＰＤＣＣＨ  ＣＳＳ又はＴｙｐｅ１−Ｍ−ＰＤＣＣＨ  ＣＳＳ）の１つを含む
付記１１から１７のいずれか１項に記載の通信装置。
【０１４９】
（付記１９）
前記パラメータは、適切にフォーマットされた情報エレメント（例えば、「Ｍ−ＰＤＣＣＨ−ｓｔａｒｔＳＦ−ＵＥＳＳ」情報エレメント又は「Ｍ−ＰＤＣＣＨ−ｓｔａｒｔＳＦ−ＣＳＳ−ＲＡ−ｒ１３」情報エレメント）を用いて送信される
付記１１から１８のいずれか１項に記載の通信装置。
【０１５０】
（付記２０）
前記プロセッサは、式
【数５７】
2019508990.tif 000061
を用いて前記サーチスペースの前記開始サブフレームを決定するように構成されており、
Ｔは、前記周期性であり、ｎｆは、前記開始サブフレームを含む無線フレームのインデックスを表し、ｎｓは、前記開始サブフレームのスロットインデックスを表し、
【数５８】
2019508990.tif 000062
は、床関数（つまり、「ｘ」を超えない最大の整数）である
付記１１から１９のいずれか１項に記載の通信装置。
【０１５１】
（付記２１）
マシン型通信デバイス（ＭＴＣデバイス）
を有する付記１１から２０のいずれか１項に記載の通信装置。
【０１５２】
（付記２２）
付記１から１０のいずれか１項に記載の基地局と付記１１から２１のいずれか１項に記載の通信装置とを有するシステム。
【０１５３】
（付記２３）
基地局によって実行される方法であって、
複数の通信装置の少なくとも１つの通信装置が制御情報を探索することが可能なサーチスペースであって、前記サーチスペースの開始を表す初期開始サブフレームと、前記サーチスペースの複数の部分であってそれぞれが制御情報の送信の異なる候補を表す複数の部分の各開始サブフレーム間の期間を表す周期性とによって特徴付けられる、サーチスペースを定義し、
前記初期開始サブフレーム及び前記周期性の両方を前記少なくとも１つの通信装置に指示するように設定されたパラメータを生成し、
前記パラメータを前記通信装置に送信する
方法。
【０１５４】
（付記２４）
通信装置によって実行される方法であって、
サーチスペースの開始を表す初期開始サブフレームと、前記サーチスペースの複数の部分であってそれぞれが制御情報の送信の異なる候補を表す複数の部分の各開始サブフレーム間の期間を表す周期性との両方を示すように設定されたパラメータを受信し、
前記受信されたパラメータから、前記トランシーバが制御情報を探索できる前記サーチスペースを決定する
方法。
【０１５５】
（付記２５）
プログラム可能な通信装置に付記２３又は２４に記載の方法を実行させる、コンピュータで実行可能な命令を有する、コンピュータ実行可能命令製品。
【０１５６】
本発明をその例示的な実施形態を参照して具体的に示して説明したが、本発明はこれらの実施形態に限定されない。当業者であれば、特許請求の範囲によって規定される本発明の精神および範囲から逸脱することなく、形態および詳細の様々な変更を行うことができることが理解されよう。
【０１５７】
この出願は、２０１６年２月５日に出願された英国出願１６０２１５０．３を基礎とする優先権を主張し、その開示の全てを参照としてここに取り込む。
【図１】
2019508990.tif 000071
【図２】
2019508990.tif 000072
【図３】
2019508990.tif 000073
【図４】
2019508990.tif 000074
【図５】
2019508990.tif 000075
【図６】
2019508990.tif 000076
【図７】
2019508990.tif 000077
【図８】
2019508990.tif 000078
【図９】
2019508990.tif 000079
【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
プロセッサであって、
複数の通信装置の少なくとも１つの通信装置が制御情報を探索することが可能なサーチスペースであって、少なくとも前記サーチスペースの開始を表す開始サブフレームに関する第１の情報と、前記サーチスペースの複数の部分であってそれぞれが制御情報の送信の異なる候補を表す複数の部分の各開始サブフレーム間の期間（time period）を表す周期性に関連する第２の情報とによって特徴付けられる、サーチスペースを定義する
ように構成されている、プロセッサと、
前記開始サブフレーム及び前記周期性の両方を指示するように設定されたパラメータを前記通信装置に送信するように構成されたトランシーバと
を有する基地局。
【請求項２】
前記周期性Ｔは、数式
Ｔ＝Ｒｍａｘ＊Ｇ
によって表され、Ｒｍａｘは、前記通信装置に対して設定された最大繰り返し数を表し、Ｇは、識別された因数を表す、
請求項１に記載の基地局。
【請求項３】
前記Ｒｍａｘは、上位層パラメータＭ−ＰＤＣＣＨ−ＮｕｍＲｅｐｅｔｉｔｉｏｎによって与えられ、Ｇは、上位層パラメータＭ−ＰＤＣＣＨ−ｓｔａｒｔＳＦ−ＣＳＳ−ＲＡ−ｒ１３又はｍＰＤＣＣＨ−ｓｔａｒｔＳＦ−ＵＥＳＳによって与えられる、
請求項２に記載の基地局。
【請求項４】
前記Ｒｍａｘは、繰り返しレベルｒ１、ｒ２、ｒ３及びｒ４の少なくとも１つを与えるものであり、各レベルは、Ｒ｛１，２，４，８，１６，３２，６４，１２８，２５６｝のセットから選択される、
請求項２に記載の基地局。
【請求項５】
周期性Ｒｍａｘと、ｒ１、ｒ２、ｒ３及びｒ４の少なくとも１つとの間の関係が、繰り返しレベルの決定を表す以下の表１
【表１】
2019508990.tif 000080
によって与えられる、
請求項４に記載の基地局。
【請求項６】
前記サーチスペースは、以下のタイプ
−Ｔｙｐｅ０−ＭＰＤＣＣＨ共通サーチスペース（但しモードＡで設定されている場合）
−Ｔｙｐｅ１−ＭＰＤＣＣＨ共通サーチスペース（ＣＳＳ）、
−Ｔｙｐｅ２−ＭＰＤＣＣＨ共通サーチスペース、及び
−ＭＰＤＣＣＨ  ＵＥ固有サーチスペース
を含む、
請求項４に記載の基地局。
【請求項７】
前記周期性Ｒｍａｘと、ｒ１、ｒ２、ｒ３及びｒ４の少なくとも１つとの間の関係は、Ｔｙｐｅ１−Ｍ−ＰＤＣＣＨ  ＣＳＳの繰り返しレベルの決定を表す以下の表２
【表２】
2019508990.tif 000081
によって与えられる、
請求項６に記載の基地局。
【請求項８】
前記プロセッサは、前記サーチスペースの前記開始サブフレームを、次の式
【数１】
2019508990.tif 000082
を用いて決定するように構成され、Ｔは周期性であり、ｎｆは前記開始サブフレームを含む無線フレームのインデックスを表し、ｎｓは前記開始サブフレームのスロットインデックスを表し、
【数２】
2019508990.tif 000083
は、床関数である、
請求項１から７のいずれか１項に記載の基地局。
【請求項９】
セルラ通信システムの基地局と通信する通信装置であって、
サーチスペースの開始を表す開始サブフレームに関する第１の情報と、前記サーチスペースの複数の部分であってそれぞれが制御情報の送信の異なる候補を表す複数の部分の各開始サブフレーム間の期間（time period）を表す周期性に関する第２の情報との両方を示すように設定されたパラメータを受信するように構成されたトランシーバと、
前記受信されたパラメータから、前記トランシーバが制御情報を探索できる前記サーチスペースを決定するように構成されたプロセッサと
を有する通信装置。
【請求項１０】
前記周期性Ｔは、数式
Ｔ＝Ｒｍａｘ＊Ｇ
によって表され、Ｒｍａｘは、前記通信装置に対して設定された最大繰り返し数を表し、Ｇは、識別された因数を表す、
請求項９に記載の通信装置。
【請求項１１】
前記Ｒｍａｘは、上位層パラメータＭ−ＰＤＣＣＨ−ＮｕｍＲｅｐｅｔｉｔｉｏｎによって与えられ、Ｇは、上位層パラメータＭ−ＰＤＣＣＨ−ｓｔａｒｔＳＦ−ＣＳＳ−ＲＡ−ｒ１３又はｍＰＤＣＣＨ−ｓｔａｒｔＳＦ−ＵＥＳＳによって与えられる、
請求項１０に記載の通信装置。
【請求項１２】
前記Ｒｍａｘは、繰り返しレベルｒ１、ｒ２、ｒ３及びｒ４の少なくとも１つを与えるものであり、各レベルは、Ｒ｛１，２，４，８，１６，３２，６４，１２８，２５６｝のセットから選択される、
請求項１０に記載の通信装置。
【請求項１３】
周期性Ｒｍａｘと、ｒ１、ｒ２、ｒ３及びｒ４の少なくとも１つとの間の関係が、繰り返しレベルの決定を表す以下の表３
【表３】
2019508990.tif 000084
によって与えられる、
請求項１２に記載の通信装置。
【請求項１４】
前記サーチスペースは、以下のタイプ
−Ｔｙｐｅ０−ＭＰＤＣＣＨ共通サーチスペース（但しモードＡで設定されている場合）
−Ｔｙｐｅ１−ＭＰＤＣＣＨ共通サーチスペース（ＣＳＳ）、
−Ｔｙｐｅ２−ＭＰＤＣＣＨ共通サーチスペース、及び
−ＭＰＤＣＣＨ  ＵＥ固有サーチスペース
を含む、
請求項１２に記載の通信装置。
【請求項１５】
前記周期性Ｒｍａｘと、ｒ１、ｒ２、ｒ３及びｒ４の少なくとも１つとの間の関係は、Ｔｙｐｅ１−Ｍ−ＰＤＣＣＨ  ＣＳＳの繰り返しレベルの決定を表す以下の表４
【表４】
2019508990.tif 000085
によって与えられる、
請求項１４に記載の通信装置。
【請求項１６】
前記プロセッサは、前記サーチスペースの前記開始サブフレームを、次の式
【数３】
2019508990.tif 000086
を用いて決定するように構成され、Ｔは周期性であり、ｎｆは前記開始サブフレームを含む無線フレームのインデックスを表し、ｎｓは前記開始サブフレームのスロットインデックスを表し、
【数４】
2019508990.tif 000087
は、床関数である、
請求項９から１５のいずれか１項に記載の通信装置。
【請求項１７】
狭帯域幅、低複雑度及びカバレッジ拡張型ユーザ機器のマシン型通信デバイス（ＭＴＣデバイス）を有する、
請求項９から１６のいずれか１項に記載の通信装置。
【請求項１８】
請求項１から８のいずれか１項に記載の基地局と請求項９から１６のいずれか１項に記載の通信装置とを有するシステム。
【請求項１９】
基地局によって実行される方法であって、
複数の通信装置の少なくとも１つの通信装置が制御情報を探索することが可能なサーチスペースであって、少なくとも前記サーチスペースの開始を表す開始サブフレームに関する第１の情報と、前記サーチスペースの複数の部分であってそれぞれが制御情報の送信の異なる候補を表す複数の部分の各開始サブフレーム間の期間（time period）を表す周期性に関連する第２の情報とによって特徴付けられる、サーチスペースを定義し、
前記開始サブフレーム及び前記周期性の両方を指示するように設定されたパラメータを前記通信装置に送信する、
方法。
【請求項２０】
通信装置によって実行される方法であって、
サーチスペースの開始を表す開始サブフレームに関する第１の情報と、前記サーチスペースの複数の部分であってそれぞれが制御情報の送信の異なる候補を表す複数の部分の各開始サブフレーム間の期間（time period）を表す周期性に関する第２の情報との両方を示すように設定されたパラメータを、トランシーバで受信し、
前記受信されたパラメータから、前記トランシーバが制御情報を探索できる前記サーチスペースを決定する、
方法。
【国際調査報告】
2019508990.tif 000088
2019508990.tif 000089